(57)【要約】【課題】金属磁石による一定以上の強い吸磁力で装身具を確実に止めることができ、盗難等に対する安全性を高めるとともに、使用者への装着性が良く、しかも使用者自身による装着および取外し性が良好な装身具を提供する。【解決手段】柔軟性材料により構成されて捩りおよび湾曲ができる紐状のチューブ１２と、このチューブ内の長さ方向に沿い軸方向端部が向き合う直列配置で挿入された複数の円柱形の金属製磁石１３，１４，１５と、チューブ１２の外周面に設けられた外皮２５とを有し、各磁石のＮ極とＳ極とを円柱の互いに反対側の外周面に配置する。【選択図】  図１
2007135739.tif 000002
【特許請求の範囲】
【請求項１】
柔軟性材料により構成されて捩りおよび湾曲ができる紐状のチューブと、このチューブ内の長さ方向に沿い軸方向端部が向き合う直列配置で挿入された複数の円柱形の金属製磁石と、前記チューブの外周面に設けられた外皮とを有し、前記各磁石のＮ極とＳ極とを円柱の互いに反対側の外周面に配置したことを特徴とする装身具。
【請求項２】
柔軟性材料により構成されて捩りおよび湾曲ができる紐状のチューブと、このチューブ内の長さ方向に沿い軸方向端部が向き合う直列配置で挿入された複数の円柱形の金属製磁石と、これらの磁石間に配置された非磁性材料からなるスペーサと、前記チューブの外周面に設けられた外皮とを有し、前記各磁石のＮ極とＳ極とを円柱の互いに反対側の外周面に配置したことを特徴とする装身具。
【請求項３】
前記磁石を前記チューブの長さ方向全範囲または前記チューブの両端部の一定範囲に配置した請求項１または請求項２に記載の装身具。
【請求項４】
前記磁石と前記スペーサとを１または２以上の任意数ずつ交互に配置した請求項２または請求項３に記載の装身具。
【請求項５】
前記磁石のうち、一部の磁石の磁力を他の磁石の磁力よりも大きくした請求項１から請求項４までのいずれか一項に記載の装身具。
【発明の詳細な説明】
【技術分野】
【０００１】
本発明は身体に巻き付けて使用するネックレス等の装身具に係り、特に巻き付け端部等の止め手段として磁石を用いるものにおいて強い磁力により装着状態を強固にし、身体から外れにくい構成とした装身具に関する。
【背景技術】
【０００２】
一般にネックレス等の装身具は紐状に構成されており、この装身具の両端には互いに組み合って着脱可能に係止できる１組の鉤等からなる止め具が設けられている。このような装身具を身体の首等に装着する場合には、使用者が装身具の両端を手に持って、装身具の中間部分を首の後方に配置した後、両端を首の前方に回し込んで巻き付け、その後に装身具の両端に設けられた鉤等の止め具を係止する。これにより、装身具が首周りにリング状に巻回され閉じた状態となる。
【０００３】
装身具の止め具には種々の構成のものがあり、例えば装身具の一端側に出没できるピンを設ける一方、他端側に輪を設け、この輪にピンを通すことにより両者を係止させる構成のもの、あるいは装身具の一端側に開閉できる輪を設け、この輪に装身具の他端側を挿通させて任意の径のリング状にして装着できる構成としたもの等がある。
【０００４】
通常、これらの止め具は装身具の装飾効果に影響しないように小形な構成、例えば指で漸く摘むことができる程度の小さい構成とされている場合が多い。このような止め具の場合、若者や高視力保持者、手指の感覚が良好な人等については装身具の装着および取外し操作等に支承のないことが多いが、高齢者や低高視力者、手指感覚が良くない人等については装身具の装着および取外し等の操作に困難を生じることがある。
【０００５】
これに対し、従来では装身具の装着操作を容易に行えるように、ネックレス等の止め手段として磁石を用いる構成のものがある。例えば、紐状体の材料に磁石粉末を混入し、射出成形や押出成形によりプラスチックマグネット、あるいはゴム磁石として構成したものが提案されている（例えば、特許文献１、２等参照）。
【０００６】
【特許文献１】特開２００２−１１９３１３号公報
【特許文献２】特開平１０−１６５２１１号公報
【発明の開示】
【発明が解決しようとする課題】
【０００７】
上述の特許文献１，２等に記載されたプラスチックマグネットやゴム磁石では、磁石材料を含有する量に制約があるため、得られる吸磁力が３００ガウス程度と低い。このため、装身具の止め手段に適用した場合に強力な止着を行うことができず、人力による引張り作用で容易に外れる。したがって、このような外れ易い装身具を例えば老人等が装着している場合、他人が装着者から装身具を引き剥がすという盗難の被害が増加する傾向にある。
【０００８】
一方、装身具の止め手段として吸磁力が高い金属磁石を用いた止め具を装身具の本体部分と別に作り、この金属磁石を用いた止め具を外部から本体部分に組込む構成も知られている。しかし、この場合には磁石の吸磁力が過度に強くなり、利用者自身が装身具を外しにくくなる等、使用上での不便を生じることがある。  本発明はこのような事情に鑑みてなされたものであり、金属磁石による一定以上の強い吸磁力で装身具を確実に止めることができ、盗難等に対する安全性を高めるとともに、使用者への装着性が良く、しかも使用者自身による装着および取外し性が良好な装身具を提供することを目的とする。
【課題を解決するための手段】
【０００９】
前記の目的を達成するために、請求項１の発明では、柔軟性材料により構成されて捩りおよび湾曲ができる紐状のチューブと、このチューブ内の長さ方向に沿い軸方向端部が向き合う直列配置で挿入された複数の円柱形の金属製磁石と、前記チューブの外周面に設けられた外皮とを有し、前記各磁石のＮ極とＳ極とを円柱の互いに反対側の外周面に配置したことを特徴とする装身具を提供する。
【００１０】
請求項２の発明では、柔軟性材料により構成されて捩りおよび湾曲ができる紐状のチューブと、このチューブ内の長さ方向に沿い軸方向端部が向き合う直列配置で挿入された複数の円柱形の金属製磁石と、これらの磁石間に配置された非磁性材料からなるスペーサと、前記チューブの外周面に設けられた外皮とを有し、前記各磁石のＮ極とＳ極とを円柱の互いに反対側の外周面に配置したことを特徴とする装身具を提供する。  請求項３の発明では、前記磁石を前記チューブの長さ方向全範囲または前記チューブの両端部の一定範囲に配置した装身具を提供する。
【００１１】
請求項４の発明では、前記磁石と前記スペーサとを１または２以上の任意数ずつ交互に配置した装身具を提供する。
【００１２】
請求項５の発明では、前記磁石のうち、一部の磁石の磁力を他の磁石の磁力よりも大きくした装身具を提供する。
【発明の効果】
【００１３】
本発明によれば、柔軟性で捩りおよび湾曲ができる紐状チューブ内に長さ方向に沿って複数の円柱形の金属製磁石を直列配置で挿入し、各磁石のＮ極とＳ極とを円柱の互いに反対側の外周面に配置した構成とすることにより、金属磁石による一定以上の強い吸磁力で装身具を確実に止めることができ、盗難等に対する安全性を高めるとともに、使用者への装着性が良く、しかも使用者自身による装着および取外し性が良好な装身具を提供することができる。
【発明を実施するための最良の形態】
【００１４】
以下、本発明に係る装身具の実施形態について図面を参照して説明する。なお、以下の実施形態では、本発明の装身具をネックレスに適用した場合を例として説明する。ただし、ネックレス以外の装身具、例えばブレスレット、ベルト、その他の各種のリング状装身具として適用することができる。
［第１実施形態（図１〜図２０）］
図１は、本発明の第１実施形態による装身具の基本構成部分である本体（以下、「装身具本体」という。）の部品構成を示す分解斜視図である。この図１に示すように、本実施形態の装身具本体１１は、両端が開口する１本の紐状のチューブ１２と、このチューブ１２内に挿入される複数個の磁石１３‥，１４‥,１５‥と、チューブ１２の一端側開口部１８を塞ぐ一端側キャップ１６と、チューブ１２の他端側開口部１９を塞ぐ他端側キャップ１７とにより構成されている。
【００１５】
まず、チューブ１２は装身具本体１１を装着する使用者の首周りに装着できる所定長さに設定されており、柔軟性のある合成樹脂またはゴム質等の柔軟性材料により円管状に構成されている。この構成により、チューブ１２は長手方向に沿う両端部間において軸心周りに相対的に１８０°以上、容易に捩ることができるとともに、使用者の首周りに沿って巻き付けて容易に湾曲することができ、リング形状とすることができるようになっている。なお、チューブ１２の引張り強度は人力によって容易に破断されない程度であることが望ましい。また、チューブ１２は例えば透明体、半透明体または着色体等、種々の装飾的効果を奏するものであることが望ましい。
【００１６】
次に、磁石１３‥はチューブ１２の一端側開口部１８内に挿入される複数の一端側磁石である。これらの一端側磁石１３‥は、径および長さが同一の円柱状に構成されており、チューブ１２の一端側開口部１８内に挿入される場合には、チューブ１２の円管の中心部と一端側磁石１３‥の中心部とが一致する状態となる。また、各一端側磁石１３‥はチューブ１２の長さ方向に沿い、軸方向端部がそれぞれ向き合う直列配置で挿入される。これらの一端側磁石１３‥は強力な吸磁力（例えば２０００ガウス）を有する金属磁石、例えばフェライト磁石とされている。
【００１７】
また、磁石１４‥は、チューブ１２における一端側磁石１３‥が挿入された端部と反対側の端部、すなわちチューブ１２の他端側開口部１９内に挿入される複数の他端側磁石である。これらの他端側磁石１４‥も、一端側磁石１３‥と同様に、径および長さが同一の円柱状のものであり、チューブ１２内の長さ方向に沿い、軸方向端部がそれぞれ向き合う直列配置で挿入される。そして、これらの他端側磁石１４‥も、一端側磁石１３‥と同様に、強力な吸磁力（例えば２０００ガウス）を有する金属磁石、例えばフェライト磁石とされている。
【００１８】
これらの一端側磁石１３‥および他端側磁石１４‥は、チューブ１２を使用者の首周りに巻き付けた状態において、チューブ１２の一端側開口部１８と他端側開口部１９とが重合または交差する部分で相互に吸引力を発生するものとなる。
【００１９】
さらに、磁石１５‥は、チューブ１２内における一端側磁石１３‥および他端側磁石１４‥が挿入される部分以外の部分、すなわちチューブ１２内の中間部分に挿入される複数の中間側磁石である。これらの中間側磁石１４‥も一端側磁石１３‥および他端側磁石１４‥と同様に、径および長さが同一の円柱状のものであり、チューブ１２内の長さ方向に沿い、軸方向端部がそれぞれ向き合う直列配置で挿入される。なお、これらの中間側磁石１４‥が使用者の首周りに専ら配置され、チューブ１２の止め手段として機能しない部分である場合には、必ずしも強力な吸磁力を必要としない。ただし、使用状態によってチューブ１２の止め手段として機能する部分となる場合には、一端側磁石１３‥および他端側磁石１４‥と同様に、フェライト磁石等の強力な吸磁力（例えば２０００ガウス）を有する金属磁石とすることが望ましい。
【００２０】
また、一端側キャップ１６は、チューブ１２の外径と同一径の半球状キャップ本体部２０と、チューブ１２の孔径と同一径でキャップ本体部２０の平坦面から突出する円柱状の挿入部２１とから構成されている。そして、この一端側キャップ１６の円柱状の挿入部２１を、チューブ１２の一端側開口部１８に挿入することにより、この一端側開口部１８をキャップ本体部２０によって閉塞することができるようになっている。  同様に、他端側キャップ１７は、チューブ１２の外径と同一径の半球状キャップ本体部２２と、チューブ１２の孔径と同一径でキャップ本体部２２の平坦面から突出する円柱状の挿入部２３とから構成されている。そして、この他端側キャップ１７の円柱状の挿入部２３を、チューブ１２の他端側開口部１９に挿入することにより、この他端側開口部１９をキャップ本体部２２によって閉塞することができるようになっている。
【００２１】
図２は、図１に示した部品を装身具本体１１として組立てた状態を示す全体断面図である。この図２には、装身具本体１１を逆Ｕ字形に湾曲した状態を示している。図２に示すように、チューブ１２の一端側開口部１８内には複数個の一端側磁石１３が直列配置で挿入されるとともに、チューブ１２の他端側開口部１９内には複数個の他端側磁石１４が直列配置で挿入されている。また、チューブ１２内における磁石１３，１４が挿入された一端側開口部１８と他端側開口部１９以外の部分、すなわち中間部分には、複数個の中間側磁石１５が直列配置で挿入されている。このように、一端側磁石１３，他端側磁石１４および中間側磁石１５がチューブ１２の長さ方向全範囲に配置されている。
【００２２】
なお、一端側磁石１３，他端側磁石１４および中間側磁石１５の軸方向端面が相互に密接状態で挿入されると、これらの端面が傾くスペース的余裕がなく、ひいてはチューブ１２を湾曲させることができない。そこで、各一端側磁石１３相互間、各他端側磁石１４相互間およびこれらと中間側磁石１５との間、ならびに中間側磁石１５相互間にはそれぞれ所定の隙間が確保され、これにより一端側磁石１３，他端側磁石１４および中間側磁石１５が互いに傾くことができ、ひいてはチューブ１２を湾曲させることができるようになっている。
【００２３】
また、チューブ１２の一端側開口部１８と他端側開口部１９とは、一端側キャップ１６と他端側キャップ１７とによってそれぞれ塞がれ、接着またはネジ構造等により固定されている。これにより、チューブ１２の一端側キャップ１６および他端側キャップ１７から一端側磁石１３および他端側磁石１４等が脱落することが防止されている。
【００２４】
図３は、装身具本体１１の外周面に設けられる外皮２５を加えた装身具２４の全体構成を示す分解斜視図である。
【００２５】
この図３に示すように、外皮２５は例えば金、銀、プラチナ、その他の貴金属、または装飾効果を施した可撓性の各種線材等からなる繊維を編組して構成した円筒状のメッシュ部材である。この外皮２５は、装身具本体１１のチューブ１２のほぼ全体を被覆する大きさに構成されており、軸方向一端側に一端側開口部２９が形成されるとともに、他端側には他端側開口部３０が形成されている。
【００２６】
この外皮２５の一端側開口部２９および他端側開口部３０に対し、これらを閉塞する手段として、一端側開口部２９を塞ぐ一端側外キャップ２６と、他端側開口部１９を塞ぐ他端側外キャップ２７とが備えられている。
【００２７】
一端側外キャップ２６は、外皮２５の外径とほぼ一致する内径をもつ一端閉塞の短円筒状をなすものであり、他端にあけた開口部３１を外皮２５の一端側開口部２９の外周側に嵌合できる構成となっている。
【００２８】
また、他端側外キャップ２７も、外皮２５の外径とほぼ一致する内径をもつ一端閉塞の短円筒状をなすものであり、他端にあけた開口部３２を外皮２５の他端側開口部３０の外周側に嵌合できる構成となっている。
【００２９】
このような構成において、装身具本体１１と外皮２５とを組合せる場合には、図３に矢印で示すように、装身具本体１１の一端側を外皮２５内に他端側開口部３０側から挿入した後、さらにスライド移動させて装身具本体１１の一端側を外皮２５の一端側開口部２９の端部位置に一致させる。この後、外皮２５の一端側開口部２９に一端側外キャップ２６を被せて接着等により固定するとともに、外皮２５の他端側にも他端側外キャップ２７を被せて接着等により固定する。
【００３０】
図４は、以上の操作によって組立てが完成した装身具２４の全体構成を示す斜視図である。この図４に示すように、装身具２４は装身具本体１１のチューブ１２の外周側に筒状のメッシュ部材である外皮２５を被覆した構成となり、外皮２５のメッシュ部分の隙間から装身具本体１１のチューブ１２の外周面が見える構成となっている。そして、装身具本体１および外皮２５の一端側は、一端側外キャップ２６の開口部３１内に挿入されて外側から覆われた状体となり、また装身具本体１および外皮２５の他端側は、他端側外キャップ２７の開口部３２内に挿入されて外側から覆われた状体となる。
【００３１】
図５は、図４のＡ−Ａ線断面図（装身具２４の軸方向任意位置での軸直角断面図）である。この図５に示すように、装身具２４の径方向中心位置には装身具本体１１の一端側磁石１３，他端側磁石１４および中間側磁石１５が配置されている。そして、これらの一端側磁石１３，他端側磁石１４および中間側磁石１５の外周側に、装身具本体１１のチューブ１２が配置され、さらにチューブ１２の外周側には外皮２５が配置されている。
【００３２】
このような構成により、最外周に配置された外皮２５のメッシュ部分の隙間から、装身具本体１１のチューブ１２の外周面が見え、さらに装身具本体１１のチューブ１２、一端側磁石１３，他端側磁石１４および中間側磁石１５および中間側磁石１５を含めた装身具２４が一体的に湾曲することができることが明らかとなっている。
【００３３】
図６は、図４のＢ−Ｂ線断面図（装身具２４の軸方向一端側での軸直角断面図）である。この図６に示すように、装身具２４の軸方向一端側においては、径方向中心位置に装身具本体１１の一端側磁石１３が配置されている。そして、これらの一端側磁石１３の外周側に、チューブ１２、外皮２５および一端側外キャップ２６が配置されている。
【００３４】
このような構成により、装身具２４の軸方向一端側では一端側外キャップ２６により、一端側磁石１３、チューブ１２、外皮２５および一端側外キャップ２６が一体的に固定されていることが明らかとなっている。
【００３５】
なお、図示しないが、装身具２４の軸方向他端側の構成においても図６と同様に、径方向中心位置に装身具本体１１の他端側磁石１４が配置されている。そして、これらの他端側磁石１４の外周側に、外皮２５および他端側外キャップ２７が配置されている。そして、装身具２４の軸方向他端側でも、他端側外キャップ２７により、一端側磁石１３、外皮２５および他端側外キャップ２７が一体的に固定されている
図７は、装身具２４の装着状態の一例を示す説明図である。この図７の例では、装身具２４を装着者３３の首３４周りに装着し、装身具２４の一端側３６と他端側３７とを首３４の後方で重合させて磁力により係止する装着方法について、装着者３３の前方から見た状態で説明する。
【００３６】
この装着方法を使用する場合には、まず装着者３３が一方の手（右手）で装身具２４の一端側３６を把持し、他方の手（左手）で装身具２４の他端側３７を把持する。そして、装身具２４を装着者３３の首３４の前側下方（顎下）から上方に徐々に持上げ、装身具２４の両端を肩３５の上方を介して首３４の後方に回し込む。この後、装身具２４の一端側３６と他端側３７とを重合させるようにする。
【００３７】
すると、装身具２４の一端側３６と他端側３７とは、互いに一定距離接近した位置に移動された途端に、吸磁力によって即座に接着状態となる。すなわち、装着者３３が首３４の後方に装身具２４の一端側３６と他端側３７とを近付けるだけで容易かつ迅速に、しかも強力な磁力により装着固定される。
【００３８】
この吸磁力による接着作用を図８により説明する。図８は図７のＣ部、すなわち装身具２４の一端側３６と他端側３７との首３４の後側における重合部を拡大して示す部分断面図であり、装身具２４の一端側３６と他端側３７とにおける装身具本体１１内の磁石構造および吸着作用を示している。
【００３９】
図８に示すように、装身具２４の一端側３６と他端側３７との重合部において、一端側３６の装身具本体１１内には、一端側外キャップ２６側から例えば４個の一端側磁石１３（１３ａ，１３ｂ，１３ｃ，１３ｄ）が直列に配置されている。これらの磁石１３（１３ａ，１３ｂ，１３ｃ，１３ｄ）は上述したように、それぞれ円柱状に構成されており、各磁石１３（１３ａ，１３ｂ，１３ｃ，１３ｄ）のＮ極（Ｎ）とＳ極（Ｓ）とは、円柱の互いに反対側の外周面に配置されている。そして、各磁石１３（１３ａ，１３ｂ，１３ｃ，１３ｄ）の互いに隣接するもの同士のＮ極（Ｎ）とＳ極（Ｓ）とが、互い違いの向きに配置されている。具体的には、装身具２４の一端側外キャップ２６側に最も接近した端部側配置の一端側磁石１３ａの、Ｎ極（Ｎ）が下向きとされ、Ｓ極（Ｓ）が上向きとされている。次に、この一端側磁石１３ａに隣接する端部側から２番目に配置された一端側磁石１３ｂのＮ極（Ｎ）は上向きとされ、Ｓ極（Ｓ）は下向きとなっている。また、この一端側磁石１３ｂに隣接する端部側から３番目の一端側磁石１３ｃは、さらに２番目の一端側磁石１３ｂと逆にＮ極（Ｎ）が下向きとされ、Ｓ極（Ｓ）が上向きとされている。さらにまた、この一端側磁石１３ｃに隣接する端部側から４番目に配置された一端側磁石１３ｄは、３番目の一端側磁石１３ｃと逆に、Ｎ極（Ｎ）が上向きとされ、Ｓ極（Ｓ）が下向きとされている。この後に続く中間側磁石１５も上記同様に、Ｎ極（Ｎ）とＳ極（Ｓ）とが互い違いの向きに配置されている。
【００４０】
一方、装身具２４の一端側３６と他端側３７との重合部において、他端側３７の装身具本体１１内には、他端側外キャップ２７側から例えば４個の他端側磁石１４（１４ａ，１４ｂ，１４ｃ，１４ｄ）が直列に配置されている。これらの磁石１４（１４ａ，１４ｂ，１４ｃ，１４ｄ）も上述したように、それぞれ円柱状に構成されており、各磁石１４（１４ａ，１４ｂ，１４ｃ，１４ｄ）のＮ極（Ｎ）とＳ極（Ｓ）とは、円柱の互いに反対側の外周面に配置されている。そして、各磁石１４（１４ａ，１４ｂ，１４ｃ，１４ｄ）の互いに隣接するもの同士はＮ極（Ｎ）とＳ極（Ｓ）とが互い違いの向きに配置されている。
【００４１】
具体的には、装身具２４の他端側外キャップ２７側に最も接近して配置された端部側配置の他端側磁石１４ａのＮ極（Ｎ）が上向きとされ、Ｓ極（Ｓ）が下向きとされている。次に、この他端側磁石１４ａに隣接する端部側から２番目に配置された他端側磁石１４ｂは前記と逆に、Ｎ極（Ｎ）が下向きとされ、Ｓ極（Ｓ）が上向きとされている。また、この他端側磁石１４ｂに隣接する端部側から３番目に配置された他端側磁石１４ｃは、さらに２番目の他端側磁石１４ｂと逆に、Ｎ極（Ｎ）が上向きとされ、Ｓ極（Ｓ）が下向きとされている。さらにまた、この他端側磁石１４ｃに隣接する端部側から４番目に配置された他端側磁石１４ｄは、さらに３番目の他端側磁石１４ｃと逆に、Ｎ極（Ｎ）が下向きとされ、Ｓ極（Ｓ）が上向きとされている。この後に続く中間側磁石１５についても、上記同様に、Ｎ極（Ｎ）とＳ極（Ｓ）とが互い違いの向きに配置されている。
【００４２】
したがって、装身具２４の一端側３６と他端側３７との重合部では４個の一端側磁石１３（１３ａ，１３ｂ，１３ｃ，１３ｄ）のＮ極（Ｎ）とＳ極（Ｓ）と、４個の他端側磁石１４（１４ａ，１４ｂ，１４ｃ，１４ｄ）Ｓ極（Ｓ）とＮ極（Ｎ）とが、それぞれ対向する配置とされているため相互に磁気接着するようになる。そして、各磁石は金属磁石であるため強力に磁気接着し、容易に引き剥がされることがない。
【００４３】
また、装身具本体１１のチューブ１２は上述したように、長手方向に沿う両端部間において軸心周りに相対的に１８０°以上、容易に捩ることができる構成となっているので、装着者の首に巻き付けた直後にＮ極（Ｎ）同士、またはＳ極（Ｓ）同士が対向する状態であったとしても、各磁石の吸磁力によって自然にＮ極（Ｎ）とＳ極（Ｓ）とが向き合う図８の状態となる。このため、装着者が人為的に装身具本体１１を回転操作する必要がなく、首周りに容易に装着することができる。
【００４４】
図９は、装身具２４の装着状態の別例を示す説明図である。この図９の例では、装身具２４を装着者３３の首３４周りに装着し、装身具２４の一端側３６と他端側３７とを首３４の前方で下向きに平行状態として左右方向の磁力により係止する装着方法について、装着者３３の前方から見た状態で説明する。
【００４５】
この装着方法を使用する場合には、まず装着者３３が一方の手（右手）で装身具２４の一端側３６を把持し、他方の手（左手）で装身具２４の他端側３７を把持する。そして、装身具２４を装着者３３の首３４の後方から両脇に降ろして装身具２４の両端を肩３５の前方で平行に揃え、装身具２４の一端側３６と他端側３７とを重合させるようにする。
【００４６】
すると、装身具２４の一端側３６と他端側３７とは、互いに一定距離接近した位置に移動された途端に、吸磁力によって即座に接着状態となる。すなわち、装着者３３が首３４の前方で下向きに装身具２４の一端側３６と他端側３７とを近付けるだけで容易かつ迅速に、しかも強力な磁力により装着固定される。
【００４７】
この吸磁力による接着作用を図１０により説明する。図１０は図９のＤ部、すなわち装身具２４の一端側３６と他端側３７との首３４の前側下方における重合部を拡大して示す部分断面図であり、装身具２４の一端側３６と他端側３７とにおける装身具本体１１内の磁石構造および吸着作用を示している。
【００４８】
図１０に示すように、装身具２４の一端側３６と他端側３７との重合部において、一端側３６の装身具本体１１内には、一端側外キャップ２６側から例えば４個の一端側磁石１３（１３ａ，１３ｂ，１３ｃ，１３ｄ）が直列に配置されている。これらの磁石１３（１３ａ，１３ｂ，１３ｃ，１３ｄ）は上述したように、それぞれ円柱状に構成されており、各磁石１３（１３ａ，１３ｂ，１３ｃ，１３ｄ）のＮ極（Ｎ）とＳ極（Ｓ）とは、円柱の互いに反対側の外周面に配置されている。そして、各磁石１３（１３ａ，１３ｂ，１３ｃ，１３ｄ）の互いに隣接するもの同士のＮ極（Ｎ）とＳ極（Ｓ）とが、互い違いの向きに配置されている。具体的には、図１０の右側に示されている装身具２４の一端側外キャップ２６側に最も接近した端部側配置の一端側磁石１３ａの、Ｎ極（Ｎ）が左右きとされ、Ｓ極（Ｓ）が右向きとされている。次に、この一端側磁石１３ａに隣接する端部側から２番目に配置された一端側磁石１３ｂのＮ極（Ｎ）は右向きとされ、Ｓ極（Ｓ）は左向きとなっている。また、この一端側磁石１３ｂに隣接する端部側から３番目の一端側磁石１３ｃは、さらに２番目の一端側磁石１３ｂと逆にＮ極（Ｎ）が左向きとされ、Ｓ極（Ｓ）が右向きとされている。さらにまた、この一端側磁石１３ｃに隣接する端部側から４番目に配置された一端側磁石１３ｄは、３番目の一端側磁石１３ｃと逆に、Ｎ極（Ｎ）が右向きとされ、Ｓ極（Ｓ）が左向きとされている。この後に続く中間側磁石１５も上記同様に、Ｎ極（Ｎ）とＳ極（Ｓ）とが互い違いの向きに配置されている。
【００４９】
一方、装身具２４の一端側３６と他端側３７との重合部において、他端側３７の装身具本体１１内には、他端側外キャップ２７側から例えば４個の他端側磁石１４（１４ａ，１４ｂ，１４ｃ，１４ｄ）が直列に配置されている。これらの磁石１４（１４ａ，１４ｂ，１４ｃ，１４ｄ）も上述したように、それぞれ円柱状に構成されており、各磁石１４（１４ａ，１４ｂ，１４ｃ，１４ｄ）のＮ極（Ｎ）とＳ極（Ｓ）とは、円柱の互いに反対側の外周面に配置されている。そして、各磁石１４（１４ａ，１４ｂ，１４ｃ，１４ｄ）の互いに隣接するもの同士はＮ極（Ｎ）とＳ極（Ｓ）とが互い違いの向きに配置されている。
【００５０】
具体的には、装身具２４の他端側外キャップ２７側に最も接近して配置された端部側配置の他端側磁石１４ａのＮ極（Ｎ）が左向きとされ、Ｓ極（Ｓ）が右向きとされている。次に、この他端側磁石１４ａに隣接する端部側から２番目に配置された他端側磁石１４ｂは前記と逆に、Ｎ極（Ｎ）が右向きとされ、Ｓ極（Ｓ）が左向きとされている。また、この他端側磁石１４ｂに隣接する端部側から３番目に配置された他端側磁石１４ｃは、さらに２番目の他端側磁石１４ｂと逆に、Ｎ極（Ｎ）が左向きとされ、Ｓ極（Ｓ）が右向きとされている。さらにまた、この他端側磁石１４ｃに隣接する端部側から４番目に配置された他端側磁石１４ｄは、さらに３番目の他端側磁石１４ｃと逆に、Ｎ極（Ｎ）が右向きとされ、Ｓ極（Ｓ）が左向きとされている。この後に続く中間側磁石１５についても、上記同様に、Ｎ極（Ｎ）とＳ極（Ｓ）とが互い違いの向きに配置されている。
【００５１】
したがって、装身具２４の一端側３６と他端側３７との重合部では４個の一端側磁石１３（１３ａ，１３ｂ，１３ｃ，１３ｄ）のＮ極（Ｎ）とＳ極（Ｓ）と、４個の他端側磁石１４（１４ａ，１４ｂ，１４ｃ，１４ｄ）Ｓ極（Ｓ）とＮ極（Ｎ）とが、それぞれ対向する配置とされているため相互に磁気接着するようになる。そして、各磁石は金属磁石であるため強力に磁気接着し、容易に引き剥がされることがない。
【００５２】
また、装身具本体１１のチューブ１２は上述したように、長手方向に沿う両端部間において軸心周りに相対的に１８０°以上、容易に捩ることができる構成となっているので、装着者の首に巻き付けた直後にＮ極（Ｎ）同士、またはＳ極（Ｓ）同士が対向する状態であったとしても、各磁石の吸磁力によって自然にＮ極（Ｎ）とＳ極（Ｓ）とが向き合う図１０の状態となる。このため、装着者が人為的に装身具本体１１を回転操作する必要がなく、首周りに容易に装着することができる。
【００５３】
図１１は、本実施形態による装身具の止め具４１の一例を示す斜視図である。この図１１に示すように、止め具４１は金属または樹脂等を素材として型成形または曲げ加工したもので、側面視ほぼＳ字形に形成されている。すなわち、この止め具４１の中央部４２はほぼ直線状であり、一端部４３が上述の装身具２４の外径よりも少し大きい内径で円形状に湾曲されている。この止め具４１の直線状の中央部４２と一端部４３の先端との間には装身具２４の外径よりも小さい隙間が形成されている。これにより、止め具４１の湾曲した一端部４３内の円形状空間部分は、装身具２４の先端を通すことができる一方の通し部４５とされている。
【００５４】
また、止め具４１の他端部４４は一端部４３と逆の向きに円形状に湾曲され、この湾曲部分の内径も上述の装身具２４の外径より少し大きい内径とされている。この止め具４１の直線状の中央部４２と他端部４３の先端との間にも、装身具２４の外径よりも小さい隙間が形成されている。これにより、止め具４１の湾曲した他端部４４内の円形状空間部分は装身具２４の先端を通すことができる他方の通し部４６とされている。
【００５５】
図１２は、図１１に示した止め具４１を用いた装着過程の一例を示す説明図である。この装着過程は、上述した図７の装着方法、すなわち装身具２４を装着者３３の首３４周りに装着し、装身具２４の一端側３６と他端側３７とを首３４の後方で重合させて磁力により係止する装着方法について、止め具４１を用いることにより装身具２４を首周りにさらに確実に止めることができるようにするものである。
【００５６】
すなわち、図１２に示すように、装着者は装身具２４の一端側３６と他端側３７とを把持して、装身具２４を首の前側下方から上方に持上げ、装身具２４の両端を肩の上方を介して首の後方に回し込む。そして、装身具２４の一端側３６を左向き矢印で示すように、Ｓ字形をした止め具４１の一方の通し部４５に通す。また、装身具２４の他端側３６を右向き矢印で示すように、Ｓ字形をした止め具４１の他方の通し部４６に通す。
【００５７】
図１３は、図１２に続いて止め具４１を用いた装着状態の一例を示す拡大図である。この図１３に示すように、Ｓ字形をした止め具４１の一方の通し部４５に通した装身具２４の一端側３６は、止め具４１の直線状の中央部４２と一端部４３の先端とによって周囲から保持される。したがって、装身具２４の一端側３６は側方に外れることがない。
【００５８】
また、Ｓ字形をした止め具４１の他方の通し部４６に通した装身具２４の他端側３７は、止め具４１の直線状の中央部４２と他端部４４の先端とによって周囲から保持される。したがって、装身具２４の他端側３７も側方に外れることがない。
【００５９】
このように、Ｓ字形の止め具４１を用いて止められた装身具２４は、磁石による吸磁力で接着状態とされたうえ、止め具４１の保持力によって周方向への離脱がさらに確実に防止される。したがって、不意の脱落等による紛失のおそれがなく、また装着者の外部からの引き剥がし等によっては外れることがないため盗難防止等も確実に防止することができる。なお、装着者が身体から装身具２４を外す場合には、装身具２４を止め具４１の通し部４５，４６から装身具２４の一端側３６または他端側３６を軸方向に引抜くだけで簡単に装身具２４を外すことができる。
【００６０】
図１４は、図１１に示した止め具４１を用いた装着過程の別例を示す説明図である。この装着過程は、上述した図９の装着方法、すなわち装身具２４を装着者３３の首３４の後方から前向き下方に垂下するようにして装着し、装身具２４の一端側３６と他端側３７とを首３４の前方で縦状態にして左右方向から重合させて磁力により係止する装着方法について、止め具４１を用いることにより装身具２４を首周りにさらに確実に止めることができるようにするものである。
【００６１】
すなわち、図１４に示すように、装着者は装身具２４の一端側３６と他端側３７とを把持して、装身具２４を首の後方から両側に巻回し、装身具２４の両端を肩の上方を介して首の前方に回し込む。そして、装身具２４の一端側３６を下向き矢印で示すように、横向きにしたＳ字形の止め具４１の一方の通し部４５に通す。また、装身具２４の他端側３６を下向き矢印で示すように、横向きにしたＳ字形の止め具４１の他方の通し部４６に通す。
【００６２】
図１５は、図１４に続いて止め具４１を用いた装着状態の例を示す拡大図である。この図１３に示すように、横向きにしたＳ字形の止め具４１の一方の通し部４５に上方から通した装身具２４の一端側３６は、止め具４１の直線状の中央部４２と一端部４３の先端とによって周囲から保持される。したがって、装身具２４の一端側３６は側方に外れることがない。
【００６３】
また、横向きにしたＳ字形の止め具４１の他方の通し部４６に上方から通した装身具２４の他端側３６は、止め具４１の直線状の中央部４２と他端部４４の先端とによって周囲から保持される。したがって、装身具２４の他端側３７も側方に外れることがない。
【００６４】
この例においても、Ｓ字形の止め具４１を用いて止められた装身具２４は、磁石による吸磁力で接着状態とされたうえ、止め具４１の保持力によって周方向への離脱がさらに確実に防止される。したがって、不意の脱落等による紛失のおそれがなく、また装着者の外部からの引き剥がし等によっては外れることがないため盗難防止等も確実に防止することができる。なお、装着者が身体から装身具２４を外す場合には、装身具２４を止め具４１の通し部４５，４６から装身具２４の一端側３６または他端側３６を上方向に引抜くだけで簡単に装身具２４を外すことができる。
【００６５】
図１６は、本実施形態による装身具２４の止め具の他の例を示す斜視図である。図１６に示すように、この止め具５１は金属または樹脂等を素材として型成形したもので、側面視ほぼ眼鏡形に形成されている。すなわち、この止め具５１の枠体５２は「８」の字状であり、一端側枠部５３が上述の装身具２４の外径よりも少し大きい内径で円形状をなしている。これにより、止め具５１の一端側枠部５３内の円形状空間部分は、装身具２４の先端を通すことができる一方の通し部５５とされている。
【００６６】
また、止め具５１の他端側枠部５３には一端側枠部５３と同様の円形状の空間部が形成され、この空間部の内径も上述の装身具２４の外径より少し大きい内径とされている。これにより、止め具５１の湾曲した他端側枠部５３内の円形状空間部分は装身具２４の先端を通すことができる他方の通し部５６とされている。  図１７は、図１６に示した止め具５１を用いた装着過程の一例を示す説明図である。この装着過程は、上述した図７の装着方法、すなわち装身具２４を装着者３３の首３４周りに装着し、装身具２４の一端側３６と他端側３７とを首３４の後方で重合させて磁力により係止する装着方法について、止め具５１を用いることにより装身具２４を首周りにさらに確実に止めることができるようにするものである。
【００６７】
すなわち、図１７に示すように、装着者は装身具２４の一端側３６と他端側３７とを把持して、装身具２４を首の前側下方から上方に持上げ、装身具２４の両端を肩の上方を介して首の後方に回し込む。そして、装身具２４の一端側３６を左向き矢印で示すように、眼鏡形をした止め具５１の一方の通し部５５に通す。また、装身具２４の他端側３６を右向き矢印で示すように、眼鏡形をした止め具５１の他方の通し部５６に通す。
【００６８】
図１８は、図１７に続いて止め具５１を用いた装着状態の一例を示す拡大図である。この図１３に示すように、眼鏡形をした止め具５１の一方の通し部５５に通した装身具２４の一端側３６は、眼鏡形をした止め具５１の一端側枠部５３の通し部５５によって周囲から保持される。したがって、装身具２４の一端側３６は側方に外れることがない。
【００６９】
また、眼鏡形をした止め具５１の他方の通し部５６に通した装身具２４の他端側３７は、止め具５１の枠体５２の他方の通し部５６によって周囲から保持される。したがって、装身具２４の他端側３７も側方に外れることがない。
【００７０】
このように、眼鏡形の止め具５１を用いて止められた装身具２４は、磁石による吸磁力で接着状態とされたうえ、眼鏡形をした止め具５１の保持力によって、図１１に示した止め具４１よりもさらに確実に、周方向への離脱が防止される。したがって、不意の脱落等による紛失のおそれがなく、また装着者の外部からの引き剥がし等によっては外れることがないため盗難防止等も一層確実に防止することができる。なお、装着者が身体から装身具２４を外す場合には、装身具２４を止め具５１の通し部５５，５６から装身具２４の一端側３６または他端側３６を軸方向に引抜くだけで簡単に装身具２４を外すことができる。
【００７１】
図１９は、図１６に示した眼鏡形の止め具５１を用いた装着過程の別例を示す説明図である。この装着過程は、上述した図９の装着方法、すなわち装身具２４を装着者３３の首３４の後方から前向き下方に垂下するようにして装着し、装身具２４の一端側３６と他端側３７とを首３４の前方で縦状態にして左右方向から重合させて磁力により係止する装着方法について、眼鏡形の止め具５１を用いることにより装身具２４を首周りにさらに確実に止めることができるようにするものである。
【００７２】
すなわち、図１９に示すように、装着者は装身具２４の一端側３６と他端側３７とを把持して、装身具２４を首の後方から両側に巻回し、装身具２４の両端を肩の上方を介して首の前方に回し込む。そして、装身具２４の一端側３６を下向き矢印で示すように、横向きにした眼鏡形の止め具５１の一方の通し部５５に通す。また、装身具２４の他端側３６を下向き矢印で示すように、横向きにした眼鏡形の止め具５１の他方の通し部５６に通す。
【００７３】
図２０は、図１９に続いて眼鏡形の止め具５１を用いた装着状態の例を示す拡大図である。この図１３に示すように、横向きにした眼鏡形の止め具５１の一方の通し部５５に上方から通した装身具２４の一端側３６は、眼鏡形をした止め具５１の一方の通し部５５によって周囲から保持される。したがって、装身具２４の一端側３６は側方に外れることがない。
【００７４】
また、横向きにした眼鏡形の止め具５１の他方の通し部５６に上方から通した装身具２４の他端側３６は、止め具５１の他方の通し部５６によって周囲から保持される。したがって、装身具２４の他端側３７も側方に外れることがない。
【００７５】
この例においても、眼鏡形の止め具５１を用いて止められた装身具２４は、磁石による吸磁力で接着状態とされたうえ、眼鏡形の止め具５１の保持力によって周方向への離脱が一層確実に防止される。したがって、不意の脱落等による紛失のおそれがなく、また装着者の外部からの引き剥がし等によっては外れることがないため盗難防止等も確実に防止することができる。なお、装着者が身体から装身具２４を外す場合には、装身具２４を止め具５１の通し部５５，５６から装身具２４の一端側３６または他端側３６を上方向に引抜くだけで簡単に装身具２４を外すことができる。
【００７６】
なお、本実施形態では、外皮２５をチューブ１２と別体の独立した構成にしたが、外皮２５はチューブ１２の表面部分そのものを加工したり、チューブ１２の表面部分に埋設したり、接着する等によって一体構造とすることができる。
［第２実施形態（図２１、図２２）］
図２１は、本発明の第２実施形態による装身具の装身具本体の部品構成を示す分解斜視図である。この図２１に示すように、本実施形態の装身具本体６１は、両端が開口する１本の紐状のチューブ６２と、このチューブ６２内に挿入される複数個の磁石６３‥と、チューブ６２内に磁石６３‥と交互に挿入される複数個のスペーサ６５‥と、チューブ６２の一端側開口部６８を塞ぐ一端側キャップ６６と、チューブ６２の他端側開口部６９を塞ぐ他端側キャップ６７とにより構成されている。
【００７７】
チューブ６２は装身具本体６１を装着する使用者の首周りに装着できる所定長さに設定されており、柔軟性のある合成樹脂またはゴム質等の柔軟性材料により円管状に構成されている。この構成により、チューブ６２は長手方向に沿う両端部間において軸心周りに相対的に１８０°以上、容易に捩ることができるとともに、使用者の首周りに沿って巻き付けて容易に湾曲することができ、リング形状とすることができるようになっている。なお、チューブ６２の引張り強度は人力によって容易に破断されない程度であることが望ましい。また、チューブ６２は例えば透明体、半透明体または着色体等、種々の装飾的効果を奏するものであることが望ましい。
【００７８】
磁石６３‥は、径および長さが同一の円柱状に構成されており、チューブ６２内の長さ方向の全体に亘って挿入されるようになっている。これらの磁石６３が‥チューブ６２内に挿入される場合には、チューブ６２の円管の中心部と一端側磁石６３‥の中心部とが一致する状態となる。また、各一端側磁石６３‥はチューブ６２の長さ方向に沿い、軸方向端部がそれぞれ向き合う直列配置で挿入される。
【００７９】
これらの磁石６３‥は強力な吸磁力（例えば２０００ガウス）を有する金属磁石、例えばフェライト磁石とされている。そして、これらの磁石６３‥は、チューブ６２を使用者の首周りに巻き付けた状態において、チューブ６２の一端側開口部６８と他端側開口部６９とが重合または交差する部分で相互に吸引力を発生するものとなる。
【００８０】
なお、チューブ６２の中間部分であって、磁石６３‥が使用者の首周りに専ら配置され、チューブ６２の止め手段として機能しない部分である場合には、必ずしも強力な吸磁力を必要としない。
【００８１】
スペーサ６５‥は、例えば磁石６３‥と１個ずつ交互にチューブ６２に挿入され、これらのスペーサ６５‥も、磁石６３‥と同様に、径および長さが同一の円柱状のものであり、チューブ６２内の長さ方向に沿い、軸方向端部がそれぞれ向き合う直列配置で挿入される。
【００８２】
スペーサ６５‥には、磁性材料および非磁性材料等の種々の材料を適用することができる。例えば、スペーサ６５‥の材質としては、鉄、ステンレス鋼等その他の鉄系金属を適用することができる。この場合には磁石６３‥の長さ方向での磁力線の通りがよくなる。また、スペーサ６５‥の材質としては、鉄系金属以外の非鉄金属、例えばチタン等を適用することもできる。
【００８３】
さらにスペーサ６５‥には、金、銀等の貴金属を適用することができる。これらの貴金属を適用した場合には、豪華性、重量感等を得ることができる。また、例えばヘマタイト等の貴石類を適用することもできる。貴石類を適用した場合には、使用感を高くすることができる。
【００８４】
一端側キャップ６６は、チューブ６２の外径と同一径の半球状キャップ本体部７０と、チューブ６２の孔径と同一径でキャップ本体部２０の平坦面から突出する円柱状の挿入部７１とから構成されている。そして、この一端側キャップ６６の円柱状の挿入部７１を、チューブ６２の一端側開口部６８に挿入することにより、この一端側開口部６８をキャップ本体部７０によって閉塞することができるようになっている。
【００８５】
同様に、他端側キャップ６７は、チューブ６２の外径と同一径の半球状キャップ本体部７２と、チューブ６２の孔径と同一径でキャップ本体部７２の平坦面から突出する円柱状の挿入部７３とから構成されている。そして、この他端側キャップ６７の円柱状の挿入部７３を、チューブ６２の他端側開口部６９に挿入することにより、この他端側開口部６９をキャップ本体部７２によって閉塞することができるようになっている。
【００８６】
図２２は、図２１に示した部品を装身具本体６１として組立てた状態を示す全体断面図である。この図２２には、装身具本体６１を逆Ｕ字形に湾曲した状態を示している。図２２に示すように、チューブ６２の一端側開口部６８内には複数個の一端側の磁石６３‥とスペーサ６５‥とが、１個ずつ交互に直列配置で挿入されるとともに、チューブ６２の他端側開口部６９内にも複数個の他端側の磁石６３‥とスペーサ６５‥とが、１個ずつ交互に直列配置で挿入されている。また、チューブ６２内における磁石６３‥とスペーサ６５‥とが挿入された一端側開口部６８と他端側開口部６９以外の部分、すなわち中間部分にも、複数個の中間側の磁石６３‥とスペーサ６５‥とが、１個ずつ交互に直列配置で挿入されている。このように、磁石６３‥とスペーサ６５‥とがチューブ６２の長さ方向全範囲に亘って１個ずつ交互に直列配置されている。ただし、磁石６３‥とスペーサ６５‥とは必ずしも１個ずつ交互に直列配置する必要はなく、例えば磁石６３‥を２個、スペーサ６５‥を１個ずる交互に配置したり、その他の任意数ごとに配列することもできる。
【００８７】
なお、一端側の磁石６３‥，他端側の磁石６３‥および中間側の磁石６３‥の軸方向端面が相互に密接状態で挿入されると、これらの端面が傾くスペース的余裕がなく、ひいてはチューブ６２を湾曲させることができない。そこで、各一端側の磁石６３‥相互間、各他端側の磁石６３‥相互間およびこれらと中間側の磁石６３‥との間、ならびに中間側の磁石６３‥相互間にはそれぞれ所定の隙間が確保され、これにより一端側の磁石６３‥，他端側の磁石６３‥および中間側の磁石６３‥が互いに傾くことができ、ひいてはチューブ６２を湾曲させることができるようになっている。
【００８８】
また、チューブ６２の一端側開口部６８と他端側開口部６９とは、一端側キャップ６６と他端側キャップ６７とによってそれぞれ塞がれ、接着またはネジ構造等により固定されている。これにより、チューブ６２の一端側キャップ６６および他端側キャップ６７から一端側の磁石６３‥および他端側の磁石６３‥等が脱落することが防止されている。
【００８９】
本実施形態によれば、スペーサ６５‥を磁石６３‥と交互にチューブ６２に挿入する構成とすることにより、種々の機能を得ることができる。すなわち、上述のように、スペーサ６５‥に鉄、ステンレス鋼等その他の鉄系金属を適用した場合には、磁石６３‥の長さ方向での磁力線の通りのよいものとすることができる。また、スペーサ６５‥の材質として鉄系金属以外の非鉄金属、例えばチタン等を適用した場合には高級感を得ることができる。さらにスペーサ６５‥に金、銀等の貴金属を適用した場合には、豪華性、重量感等を得ることができる。さらに、例えばヘマタイト等の貴石類を適用した場合には、使用感を高くすることができる。
［第３実施形態（図２３、図２４）］
図２３は、本発明の第２実施形態による装身具の装身具本体の部品構成を示す分解斜視図である。この図２３に示すように、本実施形態の装身具本体８１は、両端が開口する１本の紐状のチューブ８２と、このチューブ８２内の一端側および他端側に挿入される複数個の磁石８３‥と、チューブ８２内の端部以外の中間部分に挿入される複数個のスペーサ８５‥と、チューブ８２の一端側開口部８８を塞ぐ一端側キャップ８６と、チューブ８２の他端側開口部８９を塞ぐ他端側キャップ８７とにより構成されている。
【００９０】
チューブ８２は装身具本体８１を装着する使用者の首周りに装着できる所定長さに設定されており、柔軟性のある合成樹脂またはゴム質等の柔軟性材料により円管状に構成されている。この構成により、チューブ８２は長手方向に沿う両端部間において軸心周りに相対的に１８０°以上、容易に捩ることができるとともに、使用者の首周りに沿って巻き付けて容易に湾曲することができ、リング形状とすることができるようになっている。なお、チューブ８２の引張り強度は人力によって容易に破断されない程度であることが望ましい。また、チューブ８２は例えば透明体、半透明体または着色体等、種々の装飾的効果を奏するものであることが望ましい。
【００９１】
磁石８３‥は、径および長さが同一の円柱状に構成されており、チューブ８２内の長さ方向の一端側と、他端側とに所定数隣接して配置されるものとされている。これらの磁石８３が‥チューブ８２内に挿入される場合には、チューブ８２の円管の中心部と磁石８３‥の中心部とが一致する状態となる。また、磁石８３‥はチューブ８２の長さ方向に沿い、軸方向端部がそれぞれ向き合う直列配置で挿入される。
【００９２】
これらの磁石８３‥は強力な吸磁力（例えば２０００ガウス）を有する金属磁石、例えばフェライト磁石とされている。そして、これらの磁石８３‥は、チューブ８２を使用者の首周りに巻き付けた状態において、チューブ８２の一端側開口部８８と他端側開口部８９とが重合または交差する部分で相互に吸引力を発生するものとなる。
【００９３】
スペーサ８５‥は、チューブ８２内における磁石８３‥が配置された部分以外、すなわち一端側と他端側とを除く中間部分に配置されるようになっている。これらのスペーサ８５‥も、磁石８３‥と同様に、径および長さが同一の円柱状のものであり、チューブ８２内の長さ方向に沿い、軸方向端部がそれぞれ向き合う直列配置で挿入される。
【００９４】
スペーサ８５‥には、磁性材料および非磁性材料等の種々の材料を適用することができる。例えば、スペーサ８５‥の材質としては、鉄、ステンレス鋼等その他の鉄系金属を適用することができる。この場合には磁石８３‥の長さ方向での磁力線の通りがよくなる。また、スペーサ８５‥の材質としては、鉄系金属以外の非鉄金属、例えばチタン等を適用することもできる。
【００９５】
さらにスペーサ８５‥には、金、銀等の貴金属を適用することができる。これらの貴金属を適用した場合には、豪華性、重量感等を得ることができる。また、例えばヘマタイト等の貴石類を適用することもできる。貴石類を適用した場合には、使用感を高くすることができる。
【００９６】
一端側キャップ８６は、チューブ８２の外径と同一径の半球状キャップ本体部９０と、チューブ８２の孔径と同一径でキャップ本体部２０の平坦面から突出する円柱状の挿入部９１とから構成されている。そして、この一端側キャップ８６の円柱状の挿入部９１を、チューブ８２の一端側開口部８８に挿入することにより、この一端側開口部８８をキャップ本体部９０によって閉塞することができるようになっている。
【００９７】
同様に、他端側キャップ８７は、チューブ８２の外径と同一径の半球状キャップ本体部９２と、チューブ８２の孔径と同一径でキャップ本体部９２の平坦面から突出する円柱状の挿入部９３とから構成されている。そして、この他端側キャップ８７の円柱状の挿入部９３を、チューブ８２の他端側開口部８９に挿入することにより、この他端側開口部８９をキャップ本体部９２によって閉塞することができるようになっている。
【００９８】
図２２は、図２１に示した部品を装身具本体８１として組立てた状態を示す全体断面図である。この図２２には、装身具本体８１を逆Ｕ字形に湾曲した状態を示している。図２２に示すように、チューブ８２の一端側開口部８８内には複数個の一端側の磁石８３‥が直列配置で挿入されるとともに、チューブ８２の他端側開口部８９内にも複数個の磁石８３‥が直列配置で挿入されている。また、チューブ８２内における磁石８３が挿入された一端側開口部８８と他端側開口部８９以外の部分、すなわち中間部分には、複数個のスペーサ８５‥が直列配置で挿入されている。
【００９９】
なお、一端側の磁石８３‥，他端側の磁石８３‥および中間側のスペーサ８５‥の軸方向端面が相互に密接状態で挿入されると、これらの端面が傾くスペース的余裕がなく、ひいてはチューブ８２を湾曲させることができない。そこで、各一端側の磁石８３‥相互間、各他端側の磁石８３‥相互間およびこれらと中間側のスペーサ８５‥との間、ならびに中間側のスペーサ８５‥相互間にはそれぞれ所定の隙間が確保され、これにより一端側の磁石８３‥，他端側の磁石８３‥および中間側のスペーサ８５‥が互いに傾くことができ、ひいてはチューブ８２を湾曲させることができるようになっている。
【０１００】
また、チューブ８２の一端側開口部８８と他端側開口部８９とは、一端側キャップ８６と他端側キャップ８７とによってそれぞれ塞がれ、接着またはネジ構造等により固定されている。これにより、チューブ８２の一端側キャップ８６および他端側キャップ８７から一端側の磁石８３‥および他端側の磁石８３‥等が脱落することが防止されている。
【０１０１】
本実施形態によれば、チューブ８２の一端側および他端側にそれぞれ所定数の磁石８３‥を配置したので、チューブ８２の各端部同士を相互に磁気接着することができる。
【０１０２】
そして、チューブ８２の中間部にはスペーサ８５‥を挿入する構成とすることにより、装身具本体８１として種々の機能を得ることができる。すなわち、スペーサ８５‥に鉄、ステンレス鋼等、その他の鉄系金属を適用した場合には、磁石８３‥の長さ方向での磁力線の通りのよいものとすることができる。また、スペーサ８５‥の材質として鉄系金属以外の非鉄金属、例えばチタン等を適用した場合には高級感を得ることができる。さらにスペーサ８５‥に金、銀等の貴金属を適用した場合には、豪華性、重量感等を得ることができる。さらに、例えばヘマタイト等の貴石類を適用した場合には、使用感を高くすることができる。
［第４実施形態（図２５、図２６）］
図２５は、本発明の第２実施形態による装身具の装身具本体の部品構成を示す分解斜視図である。この図２５に示すように、本実施形態の装身具本体１０１は、両端が開口する１本の紐状のチューブ１０２と、このチューブ１０２内の一端側および他端側に挿入される複数個の磁石１０３‥と、これらの磁石１０３間に交互に配置されるスペーサ１０５‥と、チューブ１０２内の端部以外の中間部分に挿入される複数個のスペーサ１０５‥と、チューブ１０２の一端側開口部１０８を塞ぐ一端側キャップ１０６と、チューブ１０２の他端側開口部１０９を塞ぐ他端側キャップ１０７とにより構成されている。
【０１０３】
チューブ１０２は装身具本体１０１を装着する使用者の首周りに装着できる所定長さに設定されており、柔軟性のある合成樹脂またはゴム質等の柔軟性材料により円管状に構成されている。この構成により、チューブ１０２は長手方向に沿う両端部間において軸心周りに相対的に１８０°以上、容易に捩ることができるとともに、使用者の首周りに沿って巻き付けて容易に湾曲することができ、リング形状とすることができるようになっている。なお、チューブ１０２の引張り強度は人力によって容易に破断されない程度であることが望ましい。また、チューブ１０２は例えば透明体、半透明体または着色体等、種々の装飾的効果を奏するものであることが望ましい。
【０１０４】
磁石１０３‥は、径および長さが同一の円柱状に構成されており、チューブ１０２内の長さ方向の一端側と、他端側とに所定数配置されるものとされている。これらの各磁石１０３‥の相互間には、スペーサ１０５‥が１個ずつ交互に配置されている。これらの各磁石１０３‥およびスペーサ１０５‥がチューブ１０２内に挿入される場合には、チューブ１０２の円管の中心部と磁石１０３‥およびスペーサ１０５‥の中心部とが一致する状態となる。また、磁石１０３‥およびスペーサ１０５‥はチューブ１０２の長さ方向に沿い、軸方向端部がそれぞれ向き合う直列配置で挿入される。
【０１０５】
各磁石１０３‥は強力な吸磁力（例えば２０００ガウス）を有する金属磁石、例えばフェライト磁石とされている。そして、これらの磁石１０３‥は、チューブ１０２を使用者の首周りに巻き付けた状態において、チューブ１０２の一端側開口部１０８と他端側開口部１０９とが重合または交差する部分で相互に吸引力を発生するものとなる。
【０１０６】
また、スペーサ１０５‥は、チューブ１０２内における磁石１０３‥が配置された部分以外、すなわち一端側と他端側とを除く中間部分にも配置されるようになっている。これらのスペーサ１０５‥も、磁石１０３‥と同様に、径および長さが同一の円柱状のものであり、チューブ１０２内の長さ方向に沿い、軸方向端部がそれぞれ向き合う直列配置で挿入される。
【０１０７】
スペーサ１０５‥には、磁性材料および非磁性材料等の種々の材料を適用することができる。例えば、スペーサ１０５‥の材質としては、鉄、ステンレス鋼等その他の鉄系金属を適用することができる。この場合には磁石１０３‥の長さ方向での磁力線の通りがよくなる。また、スペーサ１０５‥の材質としては、鉄系金属以外の非鉄金属、例えばチタン等を適用することもできる。
【０１０８】
さらにスペーサ１０５‥には、金、銀等の貴金属を適用することができる。これらの貴金属を適用した場合には、豪華性、重量感等を得ることができる。また、例えばヘマタイト等の貴石類を適用することもできる。貴石類を適用した場合には、使用感を高くすることができる。
【０１０９】
一端側キャップ１０６は、チューブ１０２の外径と同一径の半球状キャップ本体部１１０と、チューブ１０２の孔径と同一径でキャップ本体部２０の平坦面から突出する円柱状の挿入部１１１とから構成されている。そして、この一端側キャップ１０６の円柱状の挿入部１１１を、チューブ１０２の一端側開口部１０８に挿入することにより、この一端側開口部１０８をキャップ本体部１１０によって閉塞することができるようになっている。
【０１１０】
同様に、他端側キャップ１０７は、チューブ１０２の外径と同一径の半球状キャップ本体部１１２と、チューブ１０２の孔径と同一径でキャップ本体部１１２の平坦面から突出する円柱状の挿入部１１３とから構成されている。そして、この他端側キャップ１０７の円柱状の挿入部１１３を、チューブ１０２の他端側開口部１０９に挿入することにより、この他端側開口部１０９をキャップ本体部１１２によって閉塞することができるようになっている。
【０１１１】
図２６は、図２５に示した部品を装身具本体１０１として組立てた状態を示す全体断面図である。この図２６には、装身具本体１０１を逆Ｕ字形に湾曲した状態を示している。図２６に示すように、チューブ１０２の一端側開口部１０８内には複数個の一端側の磁石１０３‥とスペーサ１０５‥とが１個ずつ交互に直列配置で挿入されるとともに、チューブ１０２の他端側開口部１０９内にも複数個の磁石１０３‥とスペーサ１０５‥とが１個ずつ交互に直列配置で挿入されている。また、チューブ１０２内における磁石１０３‥とスペーサ１０５‥とが挿入された一端側開口部１０８と他端側開口部１０９以外の部分、すなわち中間部分には、複数個のスペーサ１０５‥が直列配置で挿入されている。
【０１１２】
なお、磁石１０３‥およびスペーサ１０５‥等の軸方向端面が相互に密接状態で挿入されると、これらの端面が傾くスペース的余裕がなく、ひいてはチューブ１０２を湾曲させることができない。そこで、一端側の磁石１０３‥とスペーサ１０５‥との間、他端側の磁石１０３‥とスペーサ１０５‥との間およびこれらと中間側のスペーサ１０５‥との間、ならびに中間側のスペーサ１０５‥相互間には、それぞれ所定の隙間が確保され、これにより一端側の磁石１０３‥とスペーサ１０５‥，他端側の磁石１０３‥とスペーサ１０５‥、および中間側のスペーサ１０５‥が互いに傾くことができ、ひいてはチューブ１０２を湾曲させることができるようになっている。
【０１１３】
また、チューブ１０２の一端側開口部１０８と他端側開口部１０９とは、一端側キャップ１０６と他端側キャップ１０７とによってそれぞれ塞がれ、接着またはネジ構造等により固定されている。これにより、チューブ１０２の一端側開口部１０８および他端側開口部１０９から一端側の磁石１０３‥とスペーサ１０５‥、および他端側の磁石１０３‥とスペーサ１０５が脱落することが防止されている。
【０１１４】
本実施形態によれば、チューブ１０２の一端側および他端側にそれぞれ所定数の磁石１０３‥とスペーサ１０５‥とを交互に配置したので、チューブ１０２の各端部同士を相互に磁気接着することができるとともに、スペーサ１０５‥による種々の機能を得ることができる。そして、チューブ１０２の中間部にはスペーサ１０５‥を挿入する構成とすることにより、装身具本体１０１として種々の機能を得ることができる。
【０１１５】
すなわち、スペーサ１０５‥に鉄、ステンレス鋼等、その他の鉄系金属を適用した場合には、磁石１０３‥の長さ方向での磁力線の通りのよいものとすることができる。また、スペーサ１０５‥の材質として鉄系金属以外の非鉄金属、例えばチタン等を適用した場合には高級感を得ることができる。さらにスペーサ１０５‥に金、銀等の貴金属を適用した場合には、豪華性、重量感等を得ることができる。さらに、例えばヘマタイト等の貴石類を適用した場合には、使用感を高くすることができる。
［第５実施形態（図２７）］
図２７は、本発明の第５実施形態による装身具を示す拡大断面図である。
【０１１６】
この図２７に示すように、本実施形態の装身具１２１では、チューブ１２２の一端側１２８と他端側１２９との重合部において、チューブ１２２内に複数の磁石１１３，１１４が配置されている。
【０１１７】
チューブ１２２の一端側１２８内には、一定の吸磁力を有する複数の磁石１１４と、これらの磁石１１４よりも吸磁力が強い１つの磁石１１３とが直列に配置されている。具体的には、チューブ１２２の一端側外キャップ１２６から３個目までは一定の吸磁力を有する磁石１１４とされており、一端側外キャップ１２６から４個目に吸磁力が強い１つの磁石１１３が配置されている。一端側外キャップ１２６から５個目等には一定の吸磁力を有する磁石１１４とされている。このように、複数個の磁石１１４中に吸磁力が強い１つの磁石１１３が挟まれた配置でチューブ１２２内に設けられている。
【０１１８】
また、チューブ１２２の他端側１２９内においても、一定の吸磁力を有する複数の磁石１１４と、これらの磁石１１４よりも吸磁力が強い１つの磁石１１３とが直列に配置されている。具体的には、チューブ１２２の他端側外キャップ１２７から１個目は一定の吸磁力を有する磁石１１４とされており、他端側外キャップ１２７から２個目に吸磁力が強い１つの磁石１１３が配置されている。他端側外キャップ１２７から３個目等には一定の吸磁力を有する磁石１１４が配置されている。このように、複数個の磁石１１４中に吸磁力が強い１つの磁石１１３が挟まれた配置でチューブ１２２内に設けられている。ただし、図示の構成は一例であり、吸磁力が強い磁石１１３の数、配置等については種々変更することができる。また、吸磁力を数段階に分けてもよい。
【０１１９】
このような構成によると、必要に応じて装身具１２１の特定個所を強い吸磁力で接着固定することができ、目的および用途等に応じて任意の接着強度の装身具を提供することができる。
［磁石作用の実施形態（図２８〜図３１）］
図２８は、上記各実施形態で適用する磁石の構成を示す拡大斜視図である。この図２８に示すように、磁石１５４は円柱状に構成されており、Ｎ極（Ｎ）とＳ極（Ｓ）とは円柱の互いに反対側の外周面に配置されている。
【０１２０】
図２９は、図２８に示した磁石１５４を複数個直列に配置した場合の配列状態を示す説明図である。この図２８の例では、複数の円柱状の磁石１５４、すなわち第１の磁石１５４ａ，第２の磁石１５４ｂ，第３の磁石１５４ｃ，および第４の磁石１５４が、軸方向端面を互いに対向する配置で水平方向に１列で直列配置されている。
【０１２１】
第１の磁石１５４ａではＮ極（Ｎ）が下向きとされ、Ｓ極（Ｓ）が上向きとされている。次に、この第１の磁石１５４ａに隣接する第２の磁石１５４ｂのＮ極（Ｎ）は上向きとされ、Ｓ極（Ｓ）は下向きとされている。また、この第２の磁石１５４ｂに隣接する第３の磁石１５４ｃでは、さらに第２の磁石１５４ｃと逆にＮ極（Ｎ）が下向きとされ、Ｓ極（Ｓ）が上向きとされている。さらにまた、この第３の磁石１５４ｃに隣接する第４の磁石１５４ｄは、第３磁石１５４ｃと逆に、Ｎ極（Ｎ）が上向きとされ、Ｓ極（Ｓ）が下向きとされている。
【０１２２】
図３０は、図２９に示した配列の磁石１５４ａ〜１５４ｄをチューブの一端側１５５に挿入するとともに、同チューブの他端側１５６にも同様の配列で磁石１５４ｅ〜１５４ｈを挿入した装身具が吸着する一つの状態を示す説明図である。
【０１２３】
この図３０に示すように、チューブの一端側１５５とを上側に配置し、チューブの他端側１５６を下側に配置して、磁石１５４ａ〜１５４ｄと磁石１５４ｅ〜１５４ｈとを周面が向き合うようにして接近した場合、磁石１５４ａ〜１５４ｄのＮ極（Ｎ）およびＳ極（Ｓ）と、磁石１５４ｅ〜１５４ｈのＮ極（Ｎ）およびＳ極（Ｓ）とは、それぞれ異なる磁極同士が向きあって吸磁力が発揮される。これにより、上述した各実施形態で説明した作用が行われて両端が接着する。
【０１２４】
これに対し、一本のチューブ内に上記同様の磁石を挿入してリング状に湾曲させた場合、必ずしも図３０に示したようなチューブ両端の磁石の異極同士が直接向き合う状態になるとは限らない。
【０１２５】
図３１は、このようにチューブ両端の磁石の異極同士が直接向き合う状態にならず、同極が対向する状態になった場合を示している。
【０１２６】
すなわち、図７に示すように、例えばチューブを湾曲させてリング状にし、このチューブの両端を重合状態とした場合、チューブの一端側１５７に上記同様の配列で挿入した磁石１５４ｉ，１５４ｊ，１５４ｋ，１５４ｌのＮ極（Ｎ）およびＳ極（Ｓ）と、同チューブの他端側１５８に上記同様の配列で挿入した磁石１５４ｍ，１５４ｎ，１５４ｏ，１５４ｐのＮ極（Ｎ）およびＳ極（Ｓ）とが、それぞれ同極同士対向する状態となる場合があるのである。
【０１２７】
このような場合でも、上述した本発明の各実施形態の構成においては、磁石を金属磁石とするとともに、チューブが柔軟性のある合成樹脂またはゴム質等の柔軟性材料により円管状に構成され、この構成により、チューブが長手方向に沿う両端部間において軸心周りに相対的に１８０°以上、容易に捩ることができるので、チューブの一端側１５７の磁石１５４ｉ，１５４ｊ，１５４ｋ，１５４ｌのＮ極（Ｎ）およびＳ極（Ｓ）と、同チューブの他端側１５８の磁石１５４ｍ，１５４ｎ，１５４ｏ，１５４ｐのＮ極（Ｎ）およびＳ極（Ｓ）とが異極同士引き合い、図３１に回転矢印で示したようにチューブが回転する。この結果、図２９に示したように各磁石の異極同士が対向して、チューブの両端側１５７、１５８同士が強力に接着され、確実にリング状になることができる。
【０１２８】
よって、以上の各実施形態によれば、柔軟性で捩りおよび湾曲ができる紐状チューブ内に長さ方向に沿って複数の円柱形の金属製磁石を直列配置で挿入し、各磁石のＮ極とＳ極とを円柱の互いに反対側の外周面に配置した構成とすることにより、金属磁石による一定以上の強い吸磁力で装身具を確実に止めることができ、盗難等に対する安全性を高めるとともに、使用者への装着性が良く、しかも使用者自身による装着および取外し性が良好な装身具を提供することができる。
【図面の簡単な説明】
【０１２９】
【図１】本発明の第１実施形態による装身具の本体を示す分解斜視図である。
【図２】本発明の第１実施形態による装身具の本体を示す全体断面図である。
【図３】本発明の第１実施形態による装身具の全体部品を示す分解斜視図である。
【図４】本発明の第１実施形態による装身具の全体構成を示す斜視図である。
【図５】図４のＡ−Ａ線断面図である。
【図６】図４のＢ−Ｂ線断面図である。
【図７】本発明の第１実施形態による装身具の装着状態の一例を示す説明図である。
【図８】図７のＣ部を拡大して示す部分断面図である。
【図９】本発明の第１実施形態による装身具の装着状態の別例を示す説明図である。
【図１０】図９のＤ部を拡大し、装着過程を説明するための部分断面図である。
【図１１】本発明の第１実施形態による装身具の止め具の一例を示す斜視図である。
【図１２】図１１に示した止め具を用いた装着過程の一例を示す説明図である。
【図１３】図１１に示した止め具を用いた装着状態の一例を示す拡大図である。
【図１４】図１１に示した止め具を用いた装着過程の別例を示す説明図である。
【図１５】図１１に示した止め具を用いた装着状態の別例を示す拡大図である。
【図１６】本発明の第１実施形態による装身具の止め具の他の例を示す斜視図である。
【図１７】図１６に示した止め具を用いた装着過程の一例を示す説明図である。
【図１８】図１６に示した止め具を用いた装着状態の一例を示す拡大図である。
【図１９】図１６に示した止め具を用いた装着過程の別例を示す説明図である。
【図２０】図１６に示した止め具を用いた装着状態の別例を示す拡大図である。
【図２１】本発明の第２実施形態による装身具の本体を示す分解斜視図である。
【図２２】本発明の第２実施形態による装身具の本体を示す全体断面図である。
【図２３】本発明の第３実施形態による装身具の本体を示す分解斜視図である。
【図２４】本発明の第３実施形態による装身具の本体を示す全体断面図である。
【図２５】本発明の第４実施形態による装身具の本体を示す分解斜視図である。
【図２６】本発明の第４実施形態による装身具の本体を示す全体断面図である。
【図２７】本発明の第５実施形態による装身具を示す拡大断面図である。
【図２８】上記各実施形態で適用する磁石の構成を示す拡大斜視図である。
【図２９】上記各実施形態で適用する磁石の吸着状態を示す説明図である。
【図３０】図２９に示した磁石の吸着の一つの状態を示す説明図である。
【図３１】図３０で示した磁石の吸着状態から磁石一個分が移動して吸着した状態を示す説明図である。
【符号の説明】
【０１３０】
１１  装身具本体
１２  チューブ
１３  磁石（一端側）
１４  磁石（他端側）
１５  磁石（中間部）
１６  一端側キャップ
１７  他端側キャップ
１８  チューブの一端側開口部
１９  チューブの他端側開口部
２０  キャップ本体部
２１  挿入部
２２  キャップ本体部
２３  挿入部
２４  装身具（全体）
２５  外皮（メッシュ部材）
２６  一端側外キャップ
２７  他端側外キャップ
２８  隙間
２９  外皮の一端開口部
３０  外皮の他端開口部
３１  一端側外キャップの開口部
３２  他端側外キャップの開口部
３３  装着者
３４  首
３５  肩
３６  装身具の一端側
３７  装身具の他端側
４１  止め具
４２  中央部
４３  一端部
４４  他端部
４５  一方の空間（通し部）
４６  他方の空間（通し部）
５１  止め具
５２  胴部
５３  一端部
５４  他端部
５５  一方の空間（通し部）
５６  他方の空間（通し部）
６１    装身具本体
６２  チューブ
６３  磁石
６５  スペーサ
６６  一端側キャップ
６７  他端側キャップ
６８  チューブの一端
６９  チューブの他端
７０  一端側キャップの大径部
７１  一端側キャップの小径部
７２  他端側キャップの大径部
７３  他端側キャップの小径部
８１  装身具本体
８２  チューブ
８３  磁石
８５  スペーサ
８６  一端側キャップ
８７  他端側キャップ
８８  チューブの一端
８９  チューブの他端８７０  一端側キャップの大径部
９１  一端側キャップの小径部
９２  他端側キャップの大径部
９３  他端側キャップの小径部
１０１  装身具本体
１０２  チューブ
１０３  磁石
１０５  スペーサ
１０６  一端側キャップ
１０７  他端側キャップ
１０８  チューブの一端
１０９  チューブの他端
１１０  一端側キャップの大径部
１１１  一端側キャップの小径部
１１２  他端側キャップの大径部
１１３  他端側キャップの小径部
１２１  装身具本体
１２２  チューブ
１２３  磁石
１２５  スペーサ
１２６  一端側キャップ
１２７  他端側キャップ
１２８  チューブの一端
１２９  チューブの他端
１３０  一端側キャップの大径部
１３１  一端側キャップの小径部
１３２  他端側キャップの大径部
１３３  他端側キャップの小径部
１５４ａ〜１５４ｈ  磁石
１５５  チューブ
１５６  チューブ
１５７  チューブ
１５８  チューブ
【図１】
2007135739.tif 000003
【図２】
2007135739.tif 000004
【図３】
2007135739.tif 000005
【図４】
2007135739.tif 000006
【図５】
2007135739.tif 000007
【図６】
2007135739.tif 000008
【図７】
2007135739.tif 000009
【図８】
2007135739.tif 000010
【図９】
2007135739.tif 000011
【図１０】
2007135739.tif 000012
【図１１】
2007135739.tif 000013
【図１２】
2007135739.tif 000014
【図１３】
2007135739.tif 000015
【図１４】
2007135739.tif 000016
【図１５】
2007135739.tif 000017
【図１６】
2007135739.tif 000018
【図１７】
2007135739.tif 000019
【図１８】
2007135739.tif 000020
【図１９】
2007135739.tif 000021
【図２０】
2007135739.tif 000022
【図２１】
2007135739.tif 000023
【図２２】
2007135739.tif 000024
【図２３】
2007135739.tif 000025
【図２４】
2007135739.tif 000026
【図２５】
2007135739.tif 000027
【図２６】
2007135739.tif 000028
【図２７】
2007135739.tif 000029
【図２８】
2007135739.tif 000030
【図２９】
2007135739.tif 000031
【図３０】
2007135739.tif 000032
【図３１】
2007135739.tif 000033
【手続補正書】
【提出日】平成17年12月27日(2005.12.27)
【手続補正１】
【補正対象書類名】明細書
【補正対象項目名】全文
【補正方法】変更
【補正の内容】
【発明の詳細な説明】
【技術分野】
【０００１】
本発明は身体に巻き付けて使用するネックレス等の装身具に係り、特に巻き付け端部等の止め手段として磁石を用いるものにおいて強い磁力により装着状態を強固にし、身体から外れにくい構成とした装身具に関する。
【背景技術】
【０００２】
一般にネックレス等の装身具は紐状に構成されており、この装身具の両端には互いに組み合って着脱可能に係止できる１組の鉤等からなる止め具が設けられている。このような装身具を身体の首等に装着する場合には、使用者が装身具の両端を手に持って、装身具の中間部分を首の後方に配置した後、両端を首の前方に回し込んで巻き付け、その後に装身具の両端に設けられた鉤等の止め具を係止する。これにより、装身具が首周りにリング状に巻回され閉じた状態となる。
【０００３】
装身具の止め具には種々の構成のものがあり、例えば装身具の一端側に出没できるピンを設ける一方、他端側に輪を設け、この輪にピンを通すことにより両者を係止させる構成のもの、あるいは装身具の一端側に開閉できる輪を設け、この輪に装身具の他端側を挿通させて任意の径のリング状にして装着できる構成としたもの等がある。
【０００４】
通常、これらの止め具は装身具の装飾効果に影響しないように小形な構成、例えば指で漸く摘むことができる程度の小さい構成とされている場合が多い。このような止め具の場合、若者や高視力保持者、手指の感覚が良好な人等については装身具の装着および取外し操作等に支承のないことが多いが、高齢者や低高視力者、手指感覚が良くない人等については装身具の装着および取外し等の操作に困難を生じることがある。
【０００５】
これに対し、従来では装身具の装着操作を容易に行えるように、ネックレス等の止め手段として磁石を用いる構成のものがある。例えば、紐状体の材料に磁石粉末を混入し、射出成形や押出成形によりプラスチックマグネット、あるいはゴム磁石として構成したものが提案されている（例えば、特許文献１、２等参照）。
【０００６】
【特許文献１】特開２００２−１１９３１３号公報
【特許文献２】特開平１０−１６５２１１号公報
【発明の開示】
【発明が解決しようとする課題】
【０００７】
上述の特許文献１，２等に記載されたプラスチックマグネットやゴム磁石では、磁石材料を含有する量に制約があるため、得られる吸磁力が３００ガウス程度と低い。このため、装身具の止め手段に適用した場合に強力な止着を行うことができず、人力による引張り作用で容易に外れる。したがって、このような外れ易い装身具を例えば老人等が装着している場合、他人が装着者から装身具を引き剥がすという盗難の被害が増加する傾向にある。
【０００８】
一方、装身具の止め手段として吸磁力が高い金属磁石を用いた止め具を装身具の本体部分と別に作り、この金属磁石を用いた止め具を外部から本体部分に組込む構成も知られている。しかし、この場合には磁石の吸磁力が過度に強くなり、利用者自身が装身具を外しにくくなる等、使用上での不便を生じることがある。  本発明はこのような事情に鑑みてなされたものであり、金属磁石による一定以上の強い吸磁力で装身具を確実に止めることができ、盗難等に対する安全性を高めるとともに、使用者への装着性が良く、しかも使用者自身による装着および取外し性が良好な装身具を提供することを目的とする。
【課題を解決するための手段】
【０００９】
前記の目的を達成するために、請求項１の発明では、柔軟性材料により構成されて捩りおよび湾曲ができる紐状のチューブと、このチューブ内の長さ方向に沿い軸方向端部が向き合う直列配置で挿入された複数の円柱形の金属製磁石と、前記チューブの外周面に設けられた外皮とを有し、前記各磁石のＮ極とＳ極とを円柱の互いに反対側の外周面に配置したことを特徴とする装身具を提供する。
【００１０】
請求項２の発明では、柔軟性材料により構成されて捩りおよび湾曲ができる紐状のチューブと、このチューブ内の長さ方向に沿い軸方向端部が向き合う直列配置で挿入された複数の円柱形の金属製磁石と、これらの磁石間に配置された非磁性材料からなるスペーサと、前記チューブの外周面に設けられた外皮とを有し、前記各磁石のＮ極とＳ極とを円柱の互いに反対側の外周面に配置したことを特徴とする装身具を提供する。  請求項３の発明では、前記磁石を前記チューブの長さ方向全範囲または前記チューブの両端部の一定範囲に配置した装身具を提供する。
【００１１】
請求項４の発明では、前記磁石と前記スペーサとを１または２以上の任意数ずつ交互に配置した装身具を提供する。
【００１２】
請求項５の発明では、前記磁石のうち、一部の磁石の磁力を他の磁石の磁力よりも大きくした装身具を提供する。
【発明の効果】
【００１３】
本発明によれば、柔軟性で捩りおよび湾曲ができる紐状チューブ内に長さ方向に沿って複数の円柱形の金属製磁石を直列配置で挿入し、各磁石のＮ極とＳ極とを円柱の互いに反対側の外周面に配置した構成とすることにより、金属磁石による一定以上の強い吸磁力で装身具を確実に止めることができ、盗難等に対する安全性を高めるとともに、使用者への装着性が良く、しかも使用者自身による装着および取外し性が良好な装身具を提供することができる。
【発明を実施するための最良の形態】
【００１４】
以下、本発明に係る装身具の実施形態について図面を参照して説明する。なお、以下の実施形態では、本発明の装身具をネックレスに適用した場合を例として説明する。ただし、ネックレス以外の装身具、例えばブレスレット、ベルト、その他の各種のリング状装身具として適用することができる。
［第１実施形態（図１〜図２０）］
図１は、本発明の第１実施形態による装身具の基本構成部分である本体（以下、「装身具本体」という。）の部品構成を示す分解斜視図である。この図１に示すように、本実施形態の装身具本体１１は、両端が開口する１本の紐状のチューブ１２と、このチューブ１２内に挿入される複数個の磁石１３‥，１４‥,１５‥と、チューブ１２の一端側開口部１８を塞ぐ一端側キャップ１６と、チューブ１２の他端側開口部１９を塞ぐ他端側キャップ１７とにより構成されている。
【００１５】
まず、チューブ１２は装身具本体１１を装着する使用者の首周りに装着できる所定長さに設定されており、柔軟性のある合成樹脂またはゴム質等の柔軟性材料により円管状に構成されている。この構成により、チューブ１２は長手方向に沿う両端部間において軸心周りに相対的に１８０°以上、容易に捩ることができるとともに、使用者の首周りに沿って巻き付けて容易に湾曲することができ、リング形状とすることができるようになっている。なお、チューブ１２の引張り強度は人力によって容易に破断されない程度であることが望ましい。また、チューブ１２は例えば透明体、半透明体または着色体等、種々の装飾的効果を奏するものであることが望ましい。
【００１６】
次に、磁石１３‥はチューブ１２の一端側開口部１８内に挿入される複数の一端側磁石である。これらの一端側磁石１３‥は、径および長さが同一の円柱状に構成されており、チューブ１２の一端側開口部１８内に挿入される場合には、チューブ１２の円管の中心部と一端側磁石１３‥の中心部とが一致する状態となる。また、各一端側磁石１３‥はチューブ１２の長さ方向に沿い、軸方向端部がそれぞれ向き合う直列配置で挿入される。これらの一端側磁石１３‥は強力な吸磁力（例えば２０００ガウス）を有する金属磁石、例えばフェライト磁石とされている。
【００１７】
また、磁石１４‥は、チューブ１２における一端側磁石１３‥が挿入された端部と反対側の端部、すなわちチューブ１２の他端側開口部１９内に挿入される複数の他端側磁石である。これらの他端側磁石１４‥も、一端側磁石１３‥と同様に、径および長さが同一の円柱状のものであり、チューブ１２内の長さ方向に沿い、軸方向端部がそれぞれ向き合う直列配置で挿入される。そして、これらの他端側磁石１４‥も、一端側磁石１３‥と同様に、強力な吸磁力（例えば２０００ガウス）を有する金属磁石、例えばフェライト磁石とされている。
【００１８】
これらの一端側磁石１３‥および他端側磁石１４‥は、チューブ１２を使用者の首周りに巻き付けた状態において、チューブ１２の一端側開口部１８と他端側開口部１９とが重合または交差する部分で相互に吸引力を発生するものとなる。
【００１９】
さらに、磁石１５‥は、チューブ１２内における一端側磁石１３‥および他端側磁石１４‥が挿入される部分以外の部分、すなわちチューブ１２内の中間部分に挿入される複数の中間側磁石である。これらの中間側磁石１５‥も一端側磁石１３‥および他端側磁石１４‥と同様に、径および長さが同一の円柱状のものであり、チューブ１２内の長さ方向に沿い、軸方向端部がそれぞれ向き合う直列配置で挿入される。なお、これらの中間側磁石１５‥が使用者の首周りに専ら配置され、チューブ１２の止め手段として機能しない部分である場合には、必ずしも強力な吸磁力を必要としない。ただし、使用状態によってチューブ１２の止め手段として機能する部分となる場合には、一端側磁石１３‥および他端側磁石１４‥と同様に、フェライト磁石等の強力な吸磁力（例えば２０００ガウス）を有する金属磁石とすることが望ましい。
【００２０】
また、一端側キャップ１６は、チューブ１２の外径と同一径の半球状キャップ本体部２０と、チューブ１２の孔径と同一径でキャップ本体部２０の平坦面から突出する円柱状の挿入部２１とから構成されている。そして、この一端側キャップ１６の円柱状の挿入部２１を、チューブ１２の一端側開口部１８に挿入することにより、この一端側開口部１８をキャップ本体部２０によって閉塞することができるようになっている。  同様に、他端側キャップ１７は、チューブ１２の外径と同一径の半球状キャップ本体部２２と、チューブ１２の孔径と同一径でキャップ本体部２２の平坦面から突出する円柱状の挿入部２３とから構成されている。そして、この他端側キャップ１７の円柱状の挿入部２３を、チューブ１２の他端側開口部１９に挿入することにより、この他端側開口部１９をキャップ本体部２２によって閉塞することができるようになっている。
【００２１】
図２は、図１に示した部品を装身具本体１１として組立てた状態を示す全体断面図である。この図２には、装身具本体１１を逆Ｕ字形に湾曲した状態を示している。図２に示すように、チューブ１２の一端側開口部１８内には複数個の一端側磁石１３が直列配置で挿入されるとともに、チューブ１２の他端側開口部１９内には複数個の他端側磁石１４が直列配置で挿入されている。また、チューブ１２内における磁石１３，１４が挿入された一端側開口部１８と他端側開口部１９以外の部分、すなわち中間部分には、複数個の中間側磁石１５が直列配置で挿入されている。このように、一端側磁石１３，他端側磁石１４および中間側磁石１５がチューブ１２の長さ方向全範囲に配置されている。
【００２２】
なお、一端側磁石１３，他端側磁石１４および中間側磁石１５の軸方向端面が相互に密接状態で挿入されると、これらの端面が傾くスペース的余裕がなく、ひいてはチューブ１２を湾曲させることができない。そこで、各一端側磁石１３相互間、各他端側磁石１４相互間およびこれらと中間側磁石１５との間、ならびに中間側磁石１５相互間にはそれぞれ所定の隙間が確保され、これにより一端側磁石１３，他端側磁石１４および中間側磁石１５が互いに傾くことができ、ひいてはチューブ１２を湾曲させることができるようになっている。
【００２３】
また、チューブ１２の一端側開口部１８と他端側開口部１９とは、一端側キャップ１６と他端側キャップ１７とによってそれぞれ塞がれ、接着またはネジ構造等により固定されている。これにより、チューブ１２の一端側キャップ１６および他端側キャップ１７から一端側磁石１３および他端側磁石１４等が脱落することが防止されている。
【００２４】
図３は、装身具本体１１の外周面に設けられる外皮２５を加えた装身具２４の全体構成を示す分解斜視図である。
【００２５】
この図３に示すように、外皮２５は例えば金、銀、プラチナ、その他の貴金属、または装飾効果を施した可撓性の各種線材等からなる繊維を編組して構成した円筒状のメッシュ部材である。この外皮２５は、装身具本体１１のチューブ１２のほぼ全体を被覆する大きさに構成されており、軸方向一端側に一端側開口部２９が形成されるとともに、他端側には他端側開口部３０が形成されている。
【００２６】
この外皮２５の一端側開口部２９および他端側開口部３０に対し、これらを閉塞する手段として、一端側開口部２９を塞ぐ一端側外キャップ２６と、他端側開口部３０を塞ぐ他端側外キャップ２７とが備えられている。
【００２７】
一端側外キャップ２６は、外皮２５の外径とほぼ一致する内径をもつ一端閉塞の短円筒状をなすものであり、他端にあけた開口部３１を外皮２５の一端側開口部２９の外周側に嵌合できる構成となっている。
【００２８】
また、他端側外キャップ２７も、外皮２５の外径とほぼ一致する内径をもつ一端閉塞の短円筒状をなすものであり、他端にあけた開口部３２を外皮２５の他端側開口部３０の外周側に嵌合できる構成となっている。
【００２９】
このような構成において、装身具本体１１と外皮２５とを組合せる場合には、図３に矢印で示すように、装身具本体１１の一端側を外皮２５内に他端側開口部３０側から挿入した後、さらにスライド移動させて装身具本体１１の一端側を外皮２５の一端側開口部２９の端部位置に一致させる。この後、外皮２５の一端側開口部２９に一端側外キャップ２６を被せて接着等により固定するとともに、外皮２５の他端側にも他端側外キャップ２７を被せて接着等により固定する。
【００３０】
図４は、以上の操作によって組立てが完成した装身具２４の全体構成を示す斜視図である。この図４に示すように、装身具２４は装身具本体１１のチューブ１２の外周側に筒状のメッシュ部材である外皮２５を被覆した構成となり、外皮２５のメッシュ部分の隙間から装身具本体１１のチューブ１２の外周面が見える構成となっている。そして、装身具本体１１および外皮２５の一端側は、一端側外キャップ２６の開口部３１内に挿入されて外側から覆われた状体となり、また装身具本体１１および外皮２５の他端側は、他端側外キャップ２７の開口部３２内に挿入されて外側から覆われた状体となる。
【００３１】
図５は、図４のＡ−Ａ線断面図（装身具２４の軸方向任意位置での軸直角断面図）である。この図５に示すように、装身具２４の径方向中心位置には装身具本体１１の一端側磁石１３，他端側磁石１４および中間側磁石１５が配置されている。そして、これらの一端側磁石１３，他端側磁石１４および中間側磁石１５の外周側に、装身具本体１１のチューブ１２が配置され、さらにチューブ１２の外周側には外皮２５が配置されている。
【００３２】
このような構成により、最外周に配置された外皮２５のメッシュ部分の隙間から、装身具本体１１のチューブ１２の外周面が見え、さらに装身具本体１１のチューブ１２、一端側磁石１３，他端側磁石１４および中間側磁石１５を含めた装身具２４が一体的に湾曲することができることが明らかとなっている。
【００３３】
図６は、図４のＢ−Ｂ線断面図（装身具２４の軸方向一端側での軸直角断面図）である。この図６に示すように、装身具２４の軸方向一端側においては、径方向中心位置に装身具本体１１の一端側磁石１３が配置されている。そして、これらの一端側磁石１３の外周側に、チューブ１２、外皮２５および一端側外キャップ２６が配置されている。
【００３４】
このような構成により、装身具２４の軸方向一端側では一端側外キャップ２６により、一端側磁石１３、チューブ１２、外皮２５および一端側外キャップ２６が一体的に固定されていることが明らかとなっている。
【００３５】
なお、図示しないが、装身具２４の軸方向他端側の構成においても図６と同様に、径方向中心位置に装身具本体１１の他端側磁石１４が配置されている。そして、これらの他端側磁石１４の外周側に、外皮２５および他端側外キャップ２７が配置されている。そして、装身具２４の軸方向他端側でも、他端側外キャップ２７により、他端側磁石１４、外皮２５および他端側外キャップ２７が一体的に固定されている
図７は、装身具２４の装着状態の一例を示す説明図である。この図７の例では、装身具２４を装着者３３の首３４周りに装着し、装身具２４の一端側３６と他端側３７とを首３４の後方で重合させて磁力により係止する装着方法について、装着者３３の前方から見た状態で説明する。
【００３６】
この装着方法を使用する場合には、まず装着者３３が一方の手（右手）で装身具２４の一端側３６を把持し、他方の手（左手）で装身具２４の他端側３７を把持する。そして、装身具２４を装着者３３の首３４の前側下方（顎下）から上方に徐々に持上げ、装身具２４の両端を肩３５の上方を介して首３４の後方に回し込む。この後、装身具２４の一端側３６と他端側３７とを重合させるようにする。
【００３７】
すると、装身具２４の一端側３６と他端側３７とは、互いに一定距離接近した位置に移動された途端に、吸磁力によって即座に接着状態となる。すなわち、装着者３３が首３４の後方に装身具２４の一端側３６と他端側３７とを近付けるだけで容易かつ迅速に、しかも強力な磁力により装着固定される。
【００３８】
この吸磁力による接着作用を図８により説明する。図８は図７のＣ部、すなわち装身具２４の一端側３６と他端側３７との首３４の後側における重合部を拡大して示す部分断面図であり、装身具２４の一端側３６と他端側３７とにおける装身具本体１１内の磁石構造および吸着作用を示している。
【００３９】
図８に示すように、装身具２４の一端側３６と他端側３７との重合部において、一端側３６の装身具本体１１内には、一端側外キャップ２６側から例えば４個の一端側磁石１３（１３ａ，１３ｂ，１３ｃ，１３ｄ）が直列に配置されている。これらの磁石１３（１３ａ，１３ｂ，１３ｃ，１３ｄ）は上述したように、それぞれ円柱状に構成されており、各磁石１３（１３ａ，１３ｂ，１３ｃ，１３ｄ）のＮ極（Ｎ）とＳ極（Ｓ）とは、円柱の互いに反対側の外周面に配置されている。そして、各磁石１３（１３ａ，１３ｂ，１３ｃ，１３ｄ）の互いに隣接するもの同士のＮ極（Ｎ）とＳ極（Ｓ）とが、互い違いの向きに配置されている。具体的には、装身具２４の一端側外キャップ２６側に最も接近した端部側配置の一端側磁石１３ａのＮ極（Ｎ）が下向きとされ、Ｓ極（Ｓ）が上向きとされている。次に、この一端側磁石１３ａに隣接する端部側から２番目に配置された一端側磁石１３ｂのＮ極（Ｎ）は上向きとされ、Ｓ極（Ｓ）は下向きとなっている。また、この一端側磁石１３ｂに隣接する端部側から３番目の一端側磁石１３ｃは、さらに２番目の一端側磁石１３ｂと逆にＮ極（Ｎ）が下向きとされ、Ｓ極（Ｓ）が上向きとされている。さらにまた、この一端側磁石１３ｃに隣接する端部側から４番目に配置された一端側磁石１３ｄは、３番目の一端側磁石１３ｃと逆に、Ｎ極（Ｎ）が上向きとされ、Ｓ極（Ｓ）が下向きとされている。この後に続く中間側磁石１５も上記同様に、Ｎ極（Ｎ）とＳ極（Ｓ）とが互い違いの向きに配置されている。
【００４０】
一方、装身具２４の一端側３６と他端側３７との重合部において、他端側３７の装身具本体１１内には、他端側外キャップ２７側から例えば４個の他端側磁石１４（１４ａ，１４ｂ，１４ｃ，１４ｄ）が直列に配置されている。これらの磁石１４（１４ａ，１４ｂ，１４ｃ，１４ｄ）も上述したように、それぞれ円柱状に構成されており、各磁石１４（１４ａ，１４ｂ，１４ｃ，１４ｄ）のＮ極（Ｎ）とＳ極（Ｓ）とは、円柱の互いに反対側の外周面に配置されている。そして、各磁石１４（１４ａ，１４ｂ，１４ｃ，１４ｄ）の互いに隣接するもの同士はＮ極（Ｎ）とＳ極（Ｓ）とが互い違いの向きに配置されている。
【００４１】
具体的には、装身具２４の他端側外キャップ２７側に最も接近して配置された端部側配置の他端側磁石１４ａのＮ極（Ｎ）が上向きとされ、Ｓ極（Ｓ）が下向きとされている。次に、この他端側磁石１４ａに隣接する端部側から２番目に配置された他端側磁石１４ｂは前記と逆に、Ｎ極（Ｎ）が下向きとされ、Ｓ極（Ｓ）が上向きとされている。また、この他端側磁石１４ｂに隣接する端部側から３番目に配置された他端側磁石１４ｃは、さらに２番目の他端側磁石１４ｂと逆に、Ｎ極（Ｎ）が上向きとされ、Ｓ極（Ｓ）が下向きとされている。さらにまた、この他端側磁石１４ｃに隣接する端部側から４番目に配置された他端側磁石１４ｄは、さらに３番目の他端側磁石１４ｃと逆に、Ｎ極（Ｎ）が下向きとされ、Ｓ極（Ｓ）が上向きとされている。この後に続く中間側磁石１５についても、上記同様に、Ｎ極（Ｎ）とＳ極（Ｓ）とが互い違いの向きに配置されている。
【００４２】
したがって、装身具２４の一端側３６と他端側３７との重合部では４個の一端側磁石１３（１３ａ，１３ｂ，１３ｃ，１３ｄ）のＮ極（Ｎ）とＳ極（Ｓ）と、４個の他端側磁石１４（１４ａ，１４ｂ，１４ｃ，１４ｄ）Ｓ極（Ｓ）とＮ極（Ｎ）とが、それぞれ対向する配置とされているため相互に磁気接着するようになる。そして、各磁石は金属磁石であるため強力に磁気接着し、容易に引き剥がされることがない。
【００４３】
また、装身具本体１１のチューブ１２は上述したように、長手方向に沿う両端部間において軸心周りに相対的に１８０°以上、容易に捩ることができる構成となっているので、装着者の首に巻き付けた直後にＮ極（Ｎ）同士、またはＳ極（Ｓ）同士が対向する状態であったとしても、各磁石の吸磁力によって自然にＮ極（Ｎ）とＳ極（Ｓ）とが向き合う図８の状態となる。このため、装着者が人為的に装身具本体１１を回転操作する必要がなく、首周りに容易に装着することができる。
【００４４】
図９は、装身具２４の装着状態の別例を示す説明図である。この図９の例では、装身具２４を装着者３３の首３４周りに装着し、装身具２４の一端側３６と他端側３７とを首３４の前方で下向きに平行状態として左右方向の磁力により係止する装着方法について、装着者３３の前方から見た状態で説明する。
【００４５】
この装着方法を使用する場合には、まず装着者３３が一方の手（左手）で装身具２４の一端側３６を把持し、他方の手（右手）で装身具２４の他端側３７を把持する。そして、装身具２４を装着者３３の首３４の後方から両脇に降ろして装身具２４の両端を肩３５の前方で平行に揃え、装身具２４の一端側３６と他端側３７とを重合させるようにする。
【００４６】
すると、装身具２４の一端側３６と他端側３７とは、互いに一定距離接近した位置に移動された途端に、吸磁力によって即座に接着状態となる。すなわち、装着者３３が首３４の前方で下向きに装身具２４の一端側３６と他端側３７とを近付けるだけで容易かつ迅速に、しかも強力な磁力により装着固定される。
【００４７】
この吸磁力による接着作用を図１０により説明する。図１０は図９のＤ部、すなわち装身具２４の一端側３６と他端側３７との首３４の前側下方における重合部を拡大して示す部分断面図であり、装身具２４の一端側３６と他端側３７とにおける装身具本体１１内の磁石構造および吸着作用を示している。
【００４８】
図１０に示すように、装身具２４の一端側３６と他端側３７との重合部において、一端側３６の装身具本体１１内には、一端側外キャップ２６側から例えば４個の一端側磁石１３（１３ａ，１３ｂ，１３ｃ，１３ｄ）が直列に配置されている。これらの磁石１３（１３ａ，１３ｂ，１３ｃ，１３ｄ）は上述したように、それぞれ円柱状に構成されており、各磁石１３（１３ａ，１３ｂ，１３ｃ，１３ｄ）のＮ極（Ｎ）とＳ極（Ｓ）とは、円柱の互いに反対側の外周面に配置されている。そして、各磁石１３（１３ａ，１３ｂ，１３ｃ，１３ｄ）の互いに隣接するもの同士のＮ極（Ｎ）とＳ極（Ｓ）とが、互い違いの向きに配置されている。具体的には、図１０の右側に示されている装身具２４の一端側外キャップ２６側に最も接近した端部側配置の一端側磁石１３ａのＮ極（Ｎ）が左向きとされ、Ｓ極（Ｓ）が右向きとされている。次に、この一端側磁石１３ａに隣接する端部側から２番目に配置された一端側磁石１３ｂのＮ極（Ｎ）は右向きとされ、Ｓ極（Ｓ）は左向きとなっている。また、この一端側磁石１３ｂに隣接する端部側から３番目の一端側磁石１３ｃは、さらに２番目の一端側磁石１３ｂと逆にＮ極（Ｎ）が左向きとされ、Ｓ極（Ｓ）が右向きとされている。さらにまた、この一端側磁石１３ｃに隣接する端部側から４番目に配置された一端側磁石１３ｄは、３番目の一端側磁石１３ｃと逆に、Ｎ極（Ｎ）が右向きとされ、Ｓ極（Ｓ）が左向きとされている。この後に続く中間側磁石１５も上記同様に、Ｎ極（Ｎ）とＳ極（Ｓ）とが互い違いの向きに配置されている。
【００４９】
一方、装身具２４の一端側３６と他端側３７との重合部において、他端側３７の装身具本体１１内には、他端側外キャップ２７側から例えば４個の他端側磁石１４（１４ａ，１４ｂ，１４ｃ，１４ｄ）が直列に配置されている。これらの磁石１４（１４ａ，１４ｂ，１４ｃ，１４ｄ）も上述したように、それぞれ円柱状に構成されており、各磁石１４（１４ａ，１４ｂ，１４ｃ，１４ｄ）のＮ極（Ｎ）とＳ極（Ｓ）とは、円柱の互いに反対側の外周面に配置されている。そして、各磁石１４（１４ａ，１４ｂ，１４ｃ，１４ｄ）の互いに隣接するもの同士はＮ極（Ｎ）とＳ極（Ｓ）とが互い違いの向きに配置されている。
【００５０】
具体的には、装身具２４の他端側外キャップ２７側に最も接近して配置された端部側配置の他端側磁石１４ａのＮ極（Ｎ）が左向きとされ、Ｓ極（Ｓ）が右向きとされている。次に、この他端側磁石１４ａに隣接する端部側から２番目に配置された他端側磁石１４ｂは前記と逆に、Ｎ極（Ｎ）が右向きとされ、Ｓ極（Ｓ）が左向きとされている。また、この他端側磁石１４ｂに隣接する端部側から３番目に配置された他端側磁石１４ｃは、さらに２番目の他端側磁石１４ｂと逆に、Ｎ極（Ｎ）が左向きとされ、Ｓ極（Ｓ）が右向きとされている。さらにまた、この他端側磁石１４ｃに隣接する端部側から４番目に配置された他端側磁石１４ｄは、さらに３番目の他端側磁石１４ｃと逆に、Ｎ極（Ｎ）が右向きとされ、Ｓ極（Ｓ）が左向きとされている。この後に続く中間側磁石１５についても、上記同様に、Ｎ極（Ｎ）とＳ極（Ｓ）とが互い違いの向きに配置されている。
【００５１】
したがって、装身具２４の一端側３６と他端側３７との重合部では４個の一端側磁石１３（１３ａ，１３ｂ，１３ｃ，１３ｄ）のＮ極（Ｎ）とＳ極（Ｓ）と、４個の他端側磁石１４（１４ａ，１４ｂ，１４ｃ，１４ｄ）Ｓ極（Ｓ）とＮ極（Ｎ）とが、それぞれ対向する配置とされているため相互に磁気接着するようになる。そして、各磁石は金属磁石であるため強力に磁気接着し、容易に引き剥がされることがない。
【００５２】
また、装身具本体１１のチューブ１２は上述したように、長手方向に沿う両端部間において軸心周りに相対的に１８０°以上、容易に捩ることができる構成となっているので、装着者の首に巻き付けた直後にＮ極（Ｎ）同士、またはＳ極（Ｓ）同士が対向する状態であったとしても、各磁石の吸磁力によって自然にＮ極（Ｎ）とＳ極（Ｓ）とが向き合う図１０の状態となる。このため、装着者が人為的に装身具本体１１を回転操作する必要がなく、首周りに容易に装着することができる。
【００５３】
図１１は、本実施形態による装身具の止め具４１の一例を示す斜視図である。この図１１に示すように、止め具４１は金属または樹脂等を素材として型成形または曲げ加工したもので、側面視ほぼＳ字形に形成されている。すなわち、この止め具４１の中央部４２はほぼ直線状であり、一端部４３が上述の装身具２４の外径よりも少し大きい内径で円形状に湾曲されている。この止め具４１の直線状の中央部４２と一端部４３の先端との間には装身具２４の外径よりも小さい隙間が形成されている。これにより、止め具４１の湾曲した一端部４３内の円形状空間部分は、装身具２４の先端を通すことができる一方の通し部４５とされている。
【００５４】
また、止め具４１の他端部４４は一端部４３と逆の向きに円形状に湾曲され、この湾曲部分の内径も上述の装身具２４の外径より少し大きい内径とされている。この止め具４１の直線状の中央部４２と他端部４３の先端との間にも、装身具２４の外径よりも小さい隙間が形成されている。これにより、止め具４１の湾曲した他端部４４内の円形状空間部分は装身具２４の先端を通すことができる他方の通し部４６とされている。
【００５５】
図１２は、図１１に示した止め具４１を用いた装着過程の一例を示す説明図である。この装着過程は、上述した図７の装着方法、すなわち装身具２４を装着者３３の首３４周りに装着し、装身具２４の一端側３６と他端側３７とを首３４の後方で重合させて磁力により係止する装着方法について、止め具４１を用いることにより装身具２４を首周りにさらに確実に止めることができるようにするものである。
【００５６】
すなわち、図１２に示すように、装着者は装身具２４の一端側３６と他端側３７とを把持して、装身具２４を首の前側下方から上方に持上げ、装身具２４の両端を肩の上方を介して首の後方に回し込む。そして、装身具２４の一端側３６を左向き矢印で示すように、Ｓ字形をした止め具４１の一方の通し部４５に通す。また、装身具２４の他端側３６を右向き矢印で示すように、Ｓ字形をした止め具４１の他方の通し部４６に通す。
【００５７】
図１３は、図１２に続いて止め具４１を用いた装着状態の一例を示す拡大図である。この図１３に示すように、Ｓ字形をした止め具４１の一方の通し部４５に通した装身具２４の一端側３６は、止め具４１の直線状の中央部４２と一端部４３の先端とによって周囲から保持される。したがって、装身具２４の一端側３６は側方に外れることがない。
【００５８】
また、Ｓ字形をした止め具４１の他方の通し部４６に通した装身具２４の他端側３７は、止め具４１の直線状の中央部４２と他端部４４の先端とによって周囲から保持される。したがって、装身具２４の他端側３７も側方に外れることがない。
【００５９】
このように、Ｓ字形の止め具４１を用いて止められた装身具２４は、磁石による吸磁力で接着状態とされたうえ、止め具４１の保持力によって周方向への離脱がさらに確実に防止される。したがって、不意の脱落等による紛失のおそれがなく、また装着者の外部からの引き剥がし等によっては外れることがないため盗難防止等も確実に防止することができる。なお、装着者が身体から装身具２４を外す場合には、装身具２４を止め具４１の通し部４５，４６から装身具２４の一端側３６または他端側３６を軸方向に引抜くだけで簡単に装身具２４を外すことができる。
【００６０】
図１４は、図１１に示した止め具４１を用いた装着過程の別例を示す説明図である。この装着過程は、上述した図９の装着方法、すなわち装身具２４を装着者３３の首３４の後方から前向き下方に垂下するようにして装着し、装身具２４の一端側３６と他端側３７とを首３４の前方で縦状態にして左右方向から重合させて磁力により係止する装着方法について、止め具４１を用いることにより装身具２４を首周りにさらに確実に止めることができるようにするものである。
【００６１】
すなわち、図１４に示すように、装着者は装身具２４の一端側３６と他端側３７とを把持して、装身具２４を首の後方から両側に巻回し、装身具２４の両端を肩の上方を介して首の前方に回し込む。そして、装身具２４の一端側３６を下向き矢印で示すように、横向きにしたＳ字形の止め具４１の一方の通し部４５に通す。また、装身具２４の他端側３７を下向き矢印で示すように、横向きにしたＳ字形の止め具４１の他方の通し部４６に通す。
【００６２】
図１５は、図１４に続いて止め具４１を用いた装着状態の例を示す拡大図である。この図１３に示すように、横向きにしたＳ字形の止め具４１の一方の通し部４５に上方から通した装身具２４の一端側３６は、止め具４１の直線状の中央部４２と一端部４３の先端とによって周囲から保持される。したがって、装身具２４の一端側３６は側方に外れることがない。
【００６３】
また、横向きにしたＳ字形の止め具４１の他方の通し部４６に上方から通した装身具２４の他端側３７は、止め具４１の直線状の中央部４２と他端部４４の先端とによって周囲から保持される。したがって、装身具２４の他端側３７も側方に外れることがない。
【００６４】
この例においても、Ｓ字形の止め具４１を用いて止められた装身具２４は、磁石による吸磁力で接着状態とされたうえ、止め具４１の保持力によって周方向への離脱がさらに確実に防止される。したがって、不意の脱落等による紛失のおそれがなく、また装着者の外部からの引き剥がし等によっては外れることがないため盗難防止等も確実に防止することができる。なお、装着者が身体から装身具２４を外す場合には、装身具２４を止め具４１の通し部４５，４６から装身具２４の一端側３６または他端側３７を上方向に引抜くだけで簡単に装身具２４を外すことができる。
【００６５】
図１６は、本実施形態による装身具２４の止め具の他の例を示す斜視図である。図１６に示すように、この止め具５１は金属または樹脂等を素材として型成形したもので、側面視ほぼ眼鏡形に形成されている。すなわち、この止め具５１の枠体５２は「８」の字状であり、一端側枠部５３が上述の装身具２４の外径よりも少し大きい内径で円形状をなしている。これにより、止め具５１の一端側枠部５３内の円形状空間部分は、装身具２４の先端を通すことができる一方の通し部５５とされている。
【００６６】
また、止め具５１の他端側枠部５４には一端側枠部５３と同様の円形状の空間部が形成され、この空間部の内径も上述の装身具２４の外径より少し大きい内径とされている。これにより、止め具５１の湾曲した他端側枠部５４内の円形状空間部分は装身具２４の先端を通すことができる他方の通し部５６とされている。  図１７は、図１６に示した止め具５１を用いた装着過程の一例を示す説明図である。この装着過程は、上述した図７の装着方法、すなわち装身具２４を装着者３３の首３４周りに装着し、装身具２４の一端側３６と他端側３７とを首３４の後方で重合させて磁力により係止する装着方法について、止め具５１を用いることにより装身具２４を首周りにさらに確実に止めることができるようにするものである。
【００６７】
すなわち、図１７に示すように、装着者は装身具２４の一端側３６と他端側３７とを把持して、装身具２４を首の前側下方から上方に持上げ、装身具２４の両端を肩の上方を介して首の後方に回し込む。そして、装身具２４の一端側３６を左向き矢印で示すように、眼鏡形をした止め具５１の一方の通し部５５に通す。また、装身具２４の他端側３６を右向き矢印で示すように、眼鏡形をした止め具５１の他方の通し部５６に通す。
【００６８】
図１８は、図１７に続いて止め具５１を用いた装着状態の一例を示す拡大図である。この図１３に示すように、眼鏡形をした止め具５１の一方の通し部５５に通した装身具２４の一端側３６は、眼鏡形をした止め具５１の一端側枠部５３の通し部５５によって周囲から保持される。したがって、装身具２４の一端側３６は側方に外れることがない。
【００６９】
また、眼鏡形をした止め具５１の他方の通し部５６に通した装身具２４の他端側３７は、止め具５１の枠体５２の他方の通し部５６によって周囲から保持される。したがって、装身具２４の他端側３７も側方に外れることがない。
【００７０】
このように、眼鏡形の止め具５１を用いて止められた装身具２４は、磁石による吸磁力で接着状態とされたうえ、眼鏡形をした止め具５１の保持力によって、図１１に示した止め具４１よりもさらに確実に、周方向への離脱が防止される。したがって、不意の脱落等による紛失のおそれがなく、また装着者の外部からの引き剥がし等によっては外れることがないため盗難防止等も一層確実に防止することができる。なお、装着者が身体から装身具２４を外す場合には、装身具２４を止め具５１の通し部５５，５６から装身具２４の一端側３６または他端側３７を軸方向に引抜くだけで簡単に装身具２４を外すことができる。
【００７１】
図１９は、図１６に示した眼鏡形の止め具５１を用いた装着過程の別例を示す説明図である。この装着過程は、上述した図９の装着方法、すなわち装身具２４を装着者３３の首３４の後方から前向き下方に垂下するようにして装着し、装身具２４の一端側３６と他端側３７とを首３４の前方で縦状態にして左右方向から重合させて磁力により係止する装着方法について、眼鏡形の止め具５１を用いることにより装身具２４を首周りにさらに確実に止めることができるようにするものである。
【００７２】
すなわち、図１９に示すように、装着者は装身具２４の一端側３６と他端側３７とを把持して、装身具２４を首の後方から両側に巻回し、装身具２４の両端を肩の上方を介して首の前方に回し込む。そして、装身具２４の一端側３６を下向き矢印で示すように、横向きにした眼鏡形の止め具５１の一方の通し部５５に通す。また、装身具２４の他端側３６を下向き矢印で示すように、横向きにした眼鏡形の止め具５１の他方の通し部５６に通す。
【００７３】
図２０は、図１９に続いて眼鏡形の止め具５１を用いた装着状態の例を示す拡大図である。この図１３に示すように、横向きにした眼鏡形の止め具５１の一方の通し部５５に上方から通した装身具２４の一端側３６は、眼鏡形をした止め具５１の一方の通し部５５によって周囲から保持される。したがって、装身具２４の一端側３６は側方に外れることがない。
【００７４】
また、横向きにした眼鏡形の止め具５１の他方の通し部５６に上方から通した装身具２４の他端側３７は、止め具５１の他方の通し部５６によって周囲から保持される。したがって、装身具２４の他端側３７も側方に外れることがない。
【００７５】
この例においても、眼鏡形の止め具５１を用いて止められた装身具２４は、磁石による吸磁力で接着状態とされたうえ、眼鏡形の止め具５１の保持力によって周方向への離脱が一層確実に防止される。したがって、不意の脱落等による紛失のおそれがなく、また装着者の外部からの引き剥がし等によっては外れることがないため盗難防止等も確実に防止することができる。なお、装着者が身体から装身具２４を外す場合には、装身具２４を止め具５１の通し部５５，５６から装身具２４の一端側３６または他端側３６を上方向に引抜くだけで簡単に装身具２４を外すことができる。
【００７６】
なお、本実施形態では、外皮２５をチューブ１２と別体の独立した構成にしたが、外皮２５はチューブ１２の表面部分そのものを加工したり、チューブ１２の表面部分に埋設したり、接着する等によって一体構造とすることができる。
［第２実施形態（図２１、図２２）］
図２１は、本発明の第２実施形態による装身具の装身具本体の部品構成を示す分解斜視図である。この図２１に示すように、本実施形態の装身具本体６１は、両端が開口する１本の紐状のチューブ６２と、このチューブ６２内に挿入される複数個の磁石６３‥と、チューブ６２内に磁石６３‥と交互に挿入される複数個のスペーサ６５‥と、チューブ６２の一端側開口部６８を塞ぐ一端側キャップ６６と、チューブ６２の他端側開口部６９を塞ぐ他端側キャップ６７とにより構成されている。
【００７７】
チューブ６２は装身具本体６１を装着する使用者の首周りに装着できる所定長さに設定されており、柔軟性のある合成樹脂またはゴム質等の柔軟性材料により円管状に構成されている。この構成により、チューブ６２は長手方向に沿う両端部間において軸心周りに相対的に１８０°以上、容易に捩ることができるとともに、使用者の首周りに沿って巻き付けて容易に湾曲することができ、リング形状とすることができるようになっている。なお、チューブ６２の引張り強度は人力によって容易に破断されない程度であることが望ましい。また、チューブ６２は例えば透明体、半透明体または着色体等、種々の装飾的効果を奏するものであることが望ましい。
【００７８】
磁石６３‥は、径および長さが同一の円柱状に構成されており、チューブ６２内の長さ方向の全体に亘って挿入されるようになっている。これらの磁石６３が‥チューブ６２内に挿入される場合には、チューブ６２の円管の中心部と一端側磁石６３‥の中心部とが一致する状態となる。また、各一端側磁石６３‥はチューブ６２の長さ方向に沿い、軸方向端部がそれぞれ向き合う直列配置で挿入される。
【００７９】
これらの磁石６３‥は強力な吸磁力（例えば２０００ガウス）を有する金属磁石、例えばフェライト磁石とされている。そして、これらの磁石６３‥は、チューブ６２を使用者の首周りに巻き付けた状態において、チューブ６２の一端側開口部６８と他端側開口部６９とが重合または交差する部分で相互に吸引力を発生するものとなる。
【００８０】
なお、チューブ６２の中間部分であって、磁石６３‥が使用者の首周りに専ら配置され、チューブ６２の止め手段として機能しない部分である場合には、必ずしも強力な吸磁力を必要としない。
【００８１】
スペーサ６５‥は、例えば磁石６３‥と１個ずつ交互にチューブ６２に挿入され、これらのスペーサ６５‥も、磁石６３‥と同様に、径および長さが同一の円柱状のものであり、チューブ６２内の長さ方向に沿い、軸方向端部がそれぞれ向き合う直列配置で挿入される。
【００８２】
スペーサ６５‥には、磁性材料および非磁性材料等の種々の材料を適用することができる。例えば、スペーサ６５‥の材質としては、鉄、ステンレス鋼等その他の鉄系金属を適用することができる。この場合には磁石６３‥の長さ方向での磁力線の通りがよくなる。また、スペーサ６５‥の材質としては、鉄系金属以外の非鉄金属、例えばチタン等を適用することもできる。
【００８３】
さらにスペーサ６５‥には、金、銀等の貴金属を適用することができる。これらの貴金属を適用した場合には、豪華性、重量感等を得ることができる。また、例えばヘマタイト等の貴石類を適用することもできる。貴石類を適用した場合には、使用感を高くすることができる。
【００８４】
一端側キャップ６６は、チューブ６２の外径と同一径の半球状キャップ本体部７０と、チューブ６２の孔径と同一径でキャップ本体部７０の平坦面から突出する円柱状の挿入部７１とから構成されている。そして、この一端側キャップ６６の円柱状の挿入部７１を、チューブ６２の一端側開口部６８に挿入することにより、この一端側開口部６８をキャップ本体部７０によって閉塞することができるようになっている。
【００８５】
同様に、他端側キャップ６７は、チューブ６２の外径と同一径の半球状キャップ本体部７２と、チューブ６２の孔径と同一径でキャップ本体部７２の平坦面から突出する円柱状の挿入部７３とから構成されている。そして、この他端側キャップ６７の円柱状の挿入部７３を、チューブ６２の他端側開口部６９に挿入することにより、この他端側開口部６９をキャップ本体部７２によって閉塞することができるようになっている。
【００８６】
図２２は、図２１に示した部品を装身具本体６１として組立てた状態を示す全体断面図である。この図２２には、装身具本体６１を逆Ｕ字形に湾曲した状態を示している。図２２に示すように、チューブ６２の一端側開口部６８内には複数個の一端側の磁石６３‥とスペーサ６５‥とが、１個ずつ交互に直列配置で挿入されるとともに、チューブ６２の他端側開口部６９内にも複数個の他端側の磁石６３‥とスペーサ６５‥とが、１個ずつ交互に直列配置で挿入されている。また、チューブ６２内における磁石６３‥とスペーサ６５‥とが挿入された一端側開口部６８と他端側開口部６９以外の部分、すなわち中間部分にも、複数個の中間側の磁石６３‥とスペーサ６５‥とが、１個ずつ交互に直列配置で挿入されている。このように、磁石６３‥とスペーサ６５‥とがチューブ６２の長さ方向全範囲に亘って１個ずつ交互に直列配置されている。ただし、磁石６３‥とスペーサ６５‥とは必ずしも１個ずつ交互に直列配置する必要はなく、例えば磁石６３‥を２個、スペーサ６５‥を１個ずる交互に配置したり、その他の任意数ごとに配列することもできる。
【００８７】
なお、一端側の磁石６３‥，他端側の磁石６３‥および中間側の磁石６３‥の軸方向端面が相互に密接状態で挿入されると、これらの端面が傾くスペース的余裕がなく、ひいてはチューブ６２を湾曲させることができない。そこで、各一端側の磁石６３‥相互間、各他端側の磁石６３‥相互間およびこれらと中間側の磁石６３‥との間、ならびに中間側の磁石６３‥相互間にはそれぞれ所定の隙間が確保され、これにより一端側の磁石６３‥，他端側の磁石６３‥および中間側の磁石６３‥が互いに傾くことができ、ひいてはチューブ６２を湾曲させることができるようになっている。
【００８８】
また、チューブ６２の一端側開口部６８と他端側開口部６９とは、一端側キャップ６６と他端側キャップ６７とによってそれぞれ塞がれ、接着またはネジ構造等により固定されている。これにより、チューブ６２の一端側キャップ６６および他端側キャップ６７から一端側の磁石６３‥および他端側の磁石６３‥等が脱落することが防止されている。
【００８９】
本実施形態によれば、スペーサ６５‥を磁石６３‥と交互にチューブ６２に挿入する構成とすることにより、種々の機能を得ることができる。すなわち、上述のように、スペーサ６５‥に鉄、ステンレス鋼等その他の鉄系金属を適用した場合には、磁石６３‥の長さ方向での磁力線の通りのよいものとすることができる。また、スペーサ６５‥の材質として鉄系金属以外の非鉄金属、例えばチタン等を適用した場合には高級感を得ることができる。さらにスペーサ６５‥に金、銀等の貴金属を適用した場合には、豪華性、重量感等を得ることができる。さらに、例えばヘマタイト等の貴石類を適用した場合には、使用感を高くすることができる。
［第３実施形態（図２３、図２４）］
図２３は、本発明の第２実施形態による装身具の装身具本体の部品構成を示す分解斜視図である。この図２３に示すように、本実施形態の装身具本体８１は、両端が開口する１本の紐状のチューブ８２と、このチューブ８２内の一端側および他端側に挿入される複数個の磁石８３‥と、チューブ８２内の端部以外の中間部分に挿入される複数個のスペーサ８５‥と、チューブ８２の一端側開口部８８を塞ぐ一端側キャップ８６と、チューブ８２の他端側開口部８９を塞ぐ他端側キャップ８７とにより構成されている。
【００９０】
チューブ８２は装身具本体８１を装着する使用者の首周りに装着できる所定長さに設定されており、柔軟性のある合成樹脂またはゴム質等の柔軟性材料により円管状に構成されている。この構成により、チューブ８２は長手方向に沿う両端部間において軸心周りに相対的に１８０°以上、容易に捩ることができるとともに、使用者の首周りに沿って巻き付けて容易に湾曲することができ、リング形状とすることができるようになっている。なお、チューブ８２の引張り強度は人力によって容易に破断されない程度であることが望ましい。また、チューブ８２は例えば透明体、半透明体または着色体等、種々の装飾的効果を奏するものであることが望ましい。
【００９１】
磁石８３‥は、径および長さが同一の円柱状に構成されており、チューブ８２内の長さ方向の一端側と、他端側とに所定数隣接して配置されるものとされている。これらの磁石８３が‥チューブ８２内に挿入される場合には、チューブ８２の円管の中心部と磁石８３‥の中心部とが一致する状態となる。また、磁石８３‥はチューブ８２の長さ方向に沿い、軸方向端部がそれぞれ向き合う直列配置で挿入される。
【００９２】
これらの磁石８３‥は強力な吸磁力（例えば２０００ガウス）を有する金属磁石、例えばフェライト磁石とされている。そして、これらの磁石８３‥は、チューブ８２を使用者の首周りに巻き付けた状態において、チューブ８２の一端側開口部８８と他端側開口部８９とが重合または交差する部分で相互に吸引力を発生するものとなる。
【００９３】
スペーサ８５‥は、チューブ８２内における磁石８３‥が配置された部分以外、すなわち一端側と他端側とを除く中間部分に配置されるようになっている。これらのスペーサ８５‥も、磁石８３‥と同様に、径および長さが同一の円柱状のものであり、チューブ８２内の長さ方向に沿い、軸方向端部がそれぞれ向き合う直列配置で挿入される。
【００９４】
スペーサ８５‥には、磁性材料および非磁性材料等の種々の材料を適用することができる。例えば、スペーサ８５‥の材質としては、鉄、ステンレス鋼等その他の鉄系金属を適用することができる。この場合には磁石８３‥の長さ方向での磁力線の通りがよくなる。また、スペーサ８５‥の材質としては、鉄系金属以外の非鉄金属、例えばチタン等を適用することもできる。
【００９５】
さらにスペーサ８５‥には、金、銀等の貴金属を適用することができる。これらの貴金属を適用した場合には、豪華性、重量感等を得ることができる。また、例えばヘマタイト等の貴石類を適用することもできる。貴石類を適用した場合には、使用感を高くすることができる。
【００９６】
一端側キャップ８６は、チューブ８２の外径と同一径の半球状キャップ本体部９０と、チューブ８２の孔径と同一径でキャップ本体部９０の平坦面から突出する円柱状の挿入部９１とから構成されている。そして、この一端側キャップ８６の円柱状の挿入部９１を、チューブ８２の一端側開口部８８に挿入することにより、この一端側開口部８８をキャップ本体部９０によって閉塞することができるようになっている。
【００９７】
同様に、他端側キャップ８７は、チューブ８２の外径と同一径の半球状キャップ本体部９２と、チューブ８２の孔径と同一径でキャップ本体部９２の平坦面から突出する円柱状の挿入部９３とから構成されている。そして、この他端側キャップ８７の円柱状の挿入部９３を、チューブ８２の他端側開口部８９に挿入することにより、この他端側開口部８９をキャップ本体部９２によって閉塞することができるようになっている。
【００９８】
図２４は、図２１に示した部品を装身具本体８１として組立てた状態を示す全体断面図である。この図２４には、装身具本体８１を逆Ｕ字形に湾曲した状態を示している。図２４に示すように、チューブ８２の一端側開口部８８内には複数個の一端側の磁石８３‥が直列配置で挿入されるとともに、チューブ８２の他端側開口部８９内にも複数個の磁石８３‥が直列配置で挿入されている。また、チューブ８２内における磁石８３が挿入された一端側開口部８８と他端側開口部８９以外の部分、すなわち中間部分には、複数個のスペーサ８５‥が直列配置で挿入されている。
【００９９】
なお、一端側の磁石８３‥，他端側の磁石８３‥および中間側のスペーサ８５‥の軸方向端面が相互に密接状態で挿入されると、これらの端面が傾くスペース的余裕がなく、ひいてはチューブ８２を湾曲させることができない。そこで、各一端側の磁石８３‥相互間、各他端側の磁石８３‥相互間およびこれらと中間側のスペーサ８５‥との間、ならびに中間側のスペーサ８５‥相互間にはそれぞれ所定の隙間が確保され、これにより一端側の磁石８３‥，他端側の磁石８３‥および中間側のスペーサ８５‥が互いに傾くことができ、ひいてはチューブ８２を湾曲させることができるようになっている。
【０１００】
また、チューブ８２の一端側開口部８８と他端側開口部８９とは、一端側キャップ８６と他端側キャップ８７とによってそれぞれ塞がれ、接着またはネジ構造等により固定されている。これにより、チューブ８２の一端側キャップ８６および他端側キャップ８７から一端側の磁石８３‥および他端側の磁石８３‥等が脱落することが防止されている。
【０１０１】
本実施形態によれば、チューブ８２の一端側および他端側にそれぞれ所定数の磁石８３‥を配置したので、チューブ８２の各端部同士を相互に磁気接着することができる。
【０１０２】
そして、チューブ８２の中間部にはスペーサ８５‥を挿入する構成とすることにより、装身具本体８１として種々の機能を得ることができる。すなわち、スペーサ８５‥に鉄、ステンレス鋼等、その他の鉄系金属を適用した場合には、磁石８３‥の長さ方向での磁力線の通りのよいものとすることができる。また、スペーサ８５‥の材質として鉄系金属以外の非鉄金属、例えばチタン等を適用した場合には高級感を得ることができる。さらにスペーサ８５‥に金、銀等の貴金属を適用した場合には、豪華性、重量感等を得ることができる。さらに、例えばヘマタイト等の貴石類を適用した場合には、使用感を高くすることができる。
［第４実施形態（図２５、図２６）］
図２５は、本発明の第４実施形態による装身具の装身具本体の部品構成を示す分解斜視図である。この図２５に示すように、本実施形態の装身具本体１０１は、両端が開口する１本の紐状のチューブ１０２と、このチューブ１０２内の一端側および他端側に挿入される複数個の磁石１０３‥と、これらの磁石１０３間に交互に配置されるスペーサ１０５‥と、チューブ１０２内の端部以外の中間部分に挿入される複数個のスペーサ１０５‥と、チューブ１０２の一端側開口部１０８を塞ぐ一端側キャップ１０６と、チューブ１０２の他端側開口部１０９を塞ぐ他端側キャップ１０７とにより構成されている。
【０１０３】
チューブ１０２は装身具本体１０１を装着する使用者の首周りに装着できる所定長さに設定されており、柔軟性のある合成樹脂またはゴム質等の柔軟性材料により円管状に構成されている。この構成により、チューブ１０２は長手方向に沿う両端部間において軸心周りに相対的に１８０°以上、容易に捩ることができるとともに、使用者の首周りに沿って巻き付けて容易に湾曲することができ、リング形状とすることができるようになっている。なお、チューブ１０２の引張り強度は人力によって容易に破断されない程度であることが望ましい。また、チューブ１０２は例えば透明体、半透明体または着色体等、種々の装飾的効果を奏するものであることが望ましい。
【０１０４】
磁石１０３‥は、径および長さが同一の円柱状に構成されており、チューブ１０２内の長さ方向の一端側と、他端側とに所定数配置されるものとされている。これらの各磁石１０３‥の相互間には、スペーサ１０５‥が１個ずつ交互に配置されている。これらの各磁石１０３‥およびスペーサ１０５‥がチューブ１０２内に挿入される場合には、チューブ１０２の円管の中心部と磁石１０３‥およびスペーサ１０５‥の中心部とが一致する状態となる。また、磁石１０３‥およびスペーサ１０５‥はチューブ１０２の長さ方向に沿い、軸方向端部がそれぞれ向き合う直列配置で挿入される。
【０１０５】
各磁石１０３‥は強力な吸磁力（例えば２０００ガウス）を有する金属磁石、例えばフェライト磁石とされている。そして、これらの磁石１０３‥は、チューブ１０２を使用者の首周りに巻き付けた状態において、チューブ１０２の一端側開口部１０８と他端側開口部１０９とが重合または交差する部分で相互に吸引力を発生するものとなる。
【０１０６】
また、スペーサ１０５‥は、チューブ１０２内における磁石１０３‥が配置された部分以外、すなわち一端側と他端側とを除く中間部分にも配置されるようになっている。これらのスペーサ１０５‥も、磁石１０３‥と同様に、径および長さが同一の円柱状のものであり、チューブ１０２内の長さ方向に沿い、軸方向端部がそれぞれ向き合う直列配置で挿入される。
【０１０７】
スペーサ１０５‥には、磁性材料および非磁性材料等の種々の材料を適用することができる。例えば、スペーサ１０５‥の材質としては、鉄、ステンレス鋼等その他の鉄系金属を適用することができる。この場合には磁石１０３‥の長さ方向での磁力線の通りがよくなる。また、スペーサ１０５‥の材質としては、鉄系金属以外の非鉄金属、例えばチタン等を適用することもできる。
【０１０８】
さらにスペーサ１０５‥には、金、銀等の貴金属を適用することができる。これらの貴金属を適用した場合には、豪華性、重量感等を得ることができる。また、例えばヘマタイト等の貴石類を適用することもできる。貴石類を適用した場合には、使用感を高くすることができる。
【０１０９】
一端側キャップ１０６は、チューブ１０２の外径と同一径の半球状キャップ本体部１１０と、チューブ１０２の孔径と同一径でキャップ本体部２０の平坦面から突出する円柱状の挿入部１１１とから構成されている。そして、この一端側キャップ１０６の円柱状の挿入部１１１を、チューブ１０２の一端側開口部１０８に挿入することにより、この一端側開口部１０８をキャップ本体部１１０によって閉塞することができるようになっている。
【０１１０】
同様に、他端側キャップ１０７は、チューブ１０２の外径と同一径の半球状キャップ本体部１１２と、チューブ１０２の孔径と同一径でキャップ本体部１１２の平坦面から突出する円柱状の挿入部１１３とから構成されている。そして、この他端側キャップ１０７の円柱状の挿入部１１３を、チューブ１０２の他端側開口部１０９に挿入することにより、この他端側開口部１０９をキャップ本体部１１２によって閉塞することができるようになっている。
【０１１１】
図２６は、図２５に示した部品を装身具本体１０１として組立てた状態を示す全体断面図である。この図２６には、装身具本体１０１を逆Ｕ字形に湾曲した状態を示している。図２６に示すように、チューブ１０２の一端側開口部１０８内には複数個の一端側の磁石１０３‥とスペーサ１０５‥とが１個ずつ交互に直列配置で挿入されるとともに、チューブ１０２の他端側開口部１０９内にも複数個の磁石１０３‥とスペーサ１０５‥とが１個ずつ交互に直列配置で挿入されている。また、チューブ１０２内における磁石１０３‥とスペーサ１０５‥とが挿入された一端側開口部１０８と他端側開口部１０９以外の部分、すなわち中間部分には、複数個のスペーサ１０５‥が直列配置で挿入されている。
【０１１２】
なお、磁石１０３‥およびスペーサ１０５‥等の軸方向端面が相互に密接状態で挿入されると、これらの端面が傾くスペース的余裕がなく、ひいてはチューブ１０２を湾曲させることができない。そこで、一端側の磁石１０３‥とスペーサ１０５‥との間、他端側の磁石１０３‥とスペーサ１０５‥との間およびこれらと中間側のスペーサ１０５‥との間、ならびに中間側のスペーサ１０５‥相互間には、それぞれ所定の隙間が確保され、これにより一端側の磁石１０３‥とスペーサ１０５‥，他端側の磁石１０３‥とスペーサ１０５‥、および中間側のスペーサ１０５‥が互いに傾くことができ、ひいてはチューブ１０２を湾曲させることができるようになっている。
【０１１３】
また、チューブ１０２の一端側開口部１０８と他端側開口部１０９とは、一端側キャップ１０６と他端側キャップ１０７とによってそれぞれ塞がれ、接着またはネジ構造等により固定されている。これにより、チューブ１０２の一端側開口部１０８および他端側開口部１０９から一端側の磁石１０３‥とスペーサ１０５‥、および他端側の磁石１０３‥とスペーサ１０５が脱落することが防止されている。
【０１１４】
本実施形態によれば、チューブ１０２の一端側および他端側にそれぞれ所定数の磁石１０３‥とスペーサ１０５‥とを交互に配置したので、チューブ１０２の各端部同士を相互に磁気接着することができるとともに、スペーサ１０５‥による種々の機能を得ることができる。そして、チューブ１０２の中間部にはスペーサ１０５‥を挿入する構成とすることにより、装身具本体１０１として種々の機能を得ることができる。
【０１１５】
すなわち、スペーサ１０５‥に鉄、ステンレス鋼等、その他の鉄系金属を適用した場合には、磁石１０３‥の長さ方向での磁力線の通りのよいものとすることができる。また、スペーサ１０５‥の材質として鉄系金属以外の非鉄金属、例えばチタン等を適用した場合には高級感を得ることができる。さらにスペーサ１０５‥に金、銀等の貴金属を適用した場合には、豪華性、重量感等を得ることができる。さらに、例えばヘマタイト等の貴石類を適用した場合には、使用感を高くすることができる。
［第５実施形態（図２７）］
図２７は、本発明の第５実施形態による装身具を示す拡大断面図である。
【０１１６】
この図２７に示すように、本実施形態の装身具１２１では、チューブ１２２の一端側１２８と他端側１２９との重合部において、チューブ１２２内に複数の磁石１１３，１１４が配置されている。
【０１１７】
チューブ１２２の一端側１２８内には、一定の吸磁力を有する複数の磁石１１４と、これらの磁石１１４よりも吸磁力が強い１つの磁石１１３とが直列に配置されている。具体的には、チューブ１２２の一端側外キャップ１２６から３個目までは一定の吸磁力を有する磁石１１４とされており、一端側外キャップ１２６から４個目に吸磁力が強い１つの磁石１１３が配置されている。一端側外キャップ１２６から５個目等には一定の吸磁力を有する磁石１１４とされている。このように、複数個の磁石１１４中に吸磁力が強い１つの磁石１１３が挟まれた配置でチューブ１２２内に設けられている。
【０１１８】
また、チューブ１２２の他端側１２９内においても、一定の吸磁力を有する複数の磁石１１４と、これらの磁石１１４よりも吸磁力が強い１つの磁石１１３とが直列に配置されている。具体的には、チューブ１２２の他端側外キャップ１２７から１個目は一定の吸磁力を有する磁石１１４とされており、他端側外キャップ１２７から２個目に吸磁力が強い１つの磁石１１３が配置されている。他端側外キャップ１２７から３個目等には一定の吸磁力を有する磁石１１４が配置されている。このように、複数個の磁石１１４中に吸磁力が強い１つの磁石１１３が挟まれた配置でチューブ１２２内に設けられている。ただし、図示の構成は一例であり、吸磁力が強い磁石１１３の数、配置等については種々変更することができる。また、吸磁力を数段階に分けてもよい。
【０１１９】
このような構成によると、必要に応じて装身具１２１の特定個所を強い吸磁力で接着固定することができ、目的および用途等に応じて任意の接着強度の装身具を提供することができる。
［磁石作用の実施形態（図２８〜図３０）］
図２８は、上記各実施形態で適用する磁石の構成を示す拡大斜視図である。この図２８に示すように、磁石１５４は円柱状に構成されており、Ｎ極（Ｎ）とＳ極（Ｓ）とは円柱の互いに反対側の外周面に配置されている。
【０１２０】
図２９は、図２８に示した磁石１５４を複数個直列に配置した場合の配列状態を示す説明図である。この図２８の例では、複数の円柱状の磁石１５４、すなわち第１の磁石１５４ａ，第２の磁石１５４ｂ，第３の磁石１５４ｃ，および第４の磁石１５４が、軸方向端面を互いに対向する配置で水平方向に１列で直列配置されている。
【０１２１】
第１の磁石１５４ａではＮ極（Ｎ）が下向きとされ、Ｓ極（Ｓ）が上向きとされている。次に、この第１の磁石１５４ａに隣接する第２の磁石１５４ｂのＮ極（Ｎ）は上向きとされ、Ｓ極（Ｓ）は下向きとされている。また、この第２の磁石１５４ｂに隣接する第３の磁石１５４ｃでは、さらに第２の磁石１５４ｃと逆にＮ極（Ｎ）が下向きとされ、Ｓ極（Ｓ）が上向きとされている。さらにまた、この第３の磁石１５４ｃに隣接する第４の磁石１５４ｄは、第３磁石１５４ｃと逆に、Ｎ極（Ｎ）が上向きとされ、Ｓ極（Ｓ）が下向きとされている。
【０１２２】
図３０は、図２９に示した配列の磁石１５４ａ〜１５４ｄをチューブの一端側１５５に挿入するとともに、同チューブの他端側１５６にも同様の配列で磁石１５４ｅ〜１５４ｈを挿入した装身具の吸着前の状態を示す説明図である。
【０１２３】
この図３０に示すように、チューブの一端側１５５とを上側に配置し、チューブの他端側１５６を下側に配置して、磁石１５４ａ〜１５４ｄと磁石１５４ｅ〜１５４ｈとを周面が向き合うようにして接近した場合、磁石１５４ａ〜１５４ｄのＮ極（Ｎ）およびＳ極（Ｓ）と、磁石１５４ｅ〜１５４ｈのＮ極（Ｎ）およびＳ極（Ｓ）とは、それぞれ異なる磁極同士が向きあって吸磁力が発揮される。これにより、上述した各実施形態で説明した作用が行われて両端が接着する。
【０１２４】
これに対し、一本のチューブ内に上記同様の磁石を挿入してリング状に湾曲させた場合、必ずしも図３０に示したようなチューブ両端の磁石の異極同士が直接向き合う状態になるとは限らない。
【０１２５】
図３１は、このようにチューブ両端の磁石の異極同士が直接向き合う状態にならず、同極が対向する状態になった場合を示している。
【０１２６】
すなわち、図３１に示すように、例えばチューブを湾曲させてリング状にし、このチューブの両端を重合状態とした場合、チューブの一端側１５７に上記同様の配列で挿入した磁石１５４ｉ，１５４ｊ，１５４ｋ，１５４ｌのＮ極（Ｎ）およびＳ極（Ｓ）と、同チューブの他端側１５８に上記同様の配列で挿入した磁石１５４ｍ，１５４ｎ，１５４ｏ，１５４ｐのＮ極（Ｎ）およびＳ極（Ｓ）とが、それぞれ同極同士対向する状態となる場合があるのである。
【０１２７】
このような場合でも、上述した本発明の各実施形態の構成においては、磁石を金属磁石とするとともに、チューブが柔軟性のある合成樹脂またはゴム質等の柔軟性材料により円管状に構成され、この構成により、チューブが長手方向に沿う両端部間において軸心周りに相対的に１８０°以上、容易に捩ることができるので、チューブの一端側１５７の磁石１５４ｉ，１５４ｊ，１５４ｋ，１５４ｌのＮ極（Ｎ）およびＳ極（Ｓ）と、同チューブの他端側１５８の磁石１５４ｍ，１５４ｎ，１５４ｏ，１５４ｐのＮ極（Ｎ）およびＳ極（Ｓ）とが異極同士引き合い、図３１に回転矢印で示したようにチューブが回転する。この結果、図３０に示したように各磁石の異極同士が対向して、チューブの両端側１５７、１５８同士が強力に接着され、確実にリング状になることができる。
【０１２８】
よって、以上の各実施形態によれば、柔軟性で捩りおよび湾曲ができる紐状チューブ内に長さ方向に沿って複数の円柱形の金属製磁石を直列配置で挿入し、各磁石のＮ極とＳ極とを円柱の互いに反対側の外周面に配置した構成とすることにより、金属磁石による一定以上の強い吸磁力で装身具を確実に止めることができ、盗難等に対する安全性を高めるとともに、使用者への装着性が良く、しかも使用者自身による装着および取外し性が良好な装身具を提供することができる。
【図面の簡単な説明】
【０１２９】
【図１】本発明の第１実施形態による装身具の本体を示す分解斜視図である。
【図２】本発明の第１実施形態による装身具の本体を示す全体断面図である。
【図３】本発明の第１実施形態による装身具の全体部品を示す分解斜視図である。
【図４】本発明の第１実施形態による装身具の全体構成を示す斜視図である。
【図５】図４のＡ−Ａ線断面図である。
【図６】図４のＢ−Ｂ線断面図である。
【図７】本発明の第１実施形態による装身具の装着状態の一例を示す説明図である。
【０１３０】
【図８】図７のＣ部を拡大して示す部分断面図である。
【図９】本発明の第１実施形態による装身具の装着状態の別例を示す説明図である。
【０１３１】
【図１０】図９のＤ部を拡大し、装着過程を説明するための部分断面図である。
【図１１】本発明の第１実施形態による装身具の止め具の一例を示す斜視図である。
【０１３２】
【図１２】図１１に示した止め具を用いた装着過程の一例を示す説明図である。
【図１３】図１１に示した止め具を用いた装着状態の一例を示す拡大図である。
【図１４】図１１に示した止め具を用いた装着過程の別例を示す説明図である。
【図１５】図１１に示した止め具を用いた装着状態の別例を示す拡大図である。
【図１６】本発明の第１実施形態による装身具の止め具の他の例を示す斜視図である。
【図１７】図１６に示した止め具を用いた装着過程の一例を示す説明図である。
【図１８】図１６に示した止め具を用いた装着状態の一例を示す拡大図である。
【図１９】図１６に示した止め具を用いた装着過程の別例を示す説明図である。
【図２０】図１６に示した止め具を用いた装着状態の別例を示す拡大図である。
【図２１】本発明の第２実施形態による装身具の本体を示す分解斜視図である。
【図２２】本発明の第２実施形態による装身具の本体を示す全体断面図である。
【図２３】本発明の第３実施形態による装身具の本体を示す分解斜視図である。
【図２４】本発明の第３実施形態による装身具の本体を示す全体断面図である。
【図２５】本発明の第４実施形態による装身具の本体を示す分解斜視図である。
【図２６】本発明の第４実施形態による装身具の本体を示す全体断面図である。
【図２７】本発明の第５実施形態による装身具を示す拡大断面図である。
【図２８】上記各実施形態で適用する磁石の構成を示す拡大斜視図である。
【図２９】図２８に示した磁石を複数個直列に配置した場合の配列状態を示す説明図である。
【図３０】上記各実施形態で適用する磁石の吸着状態を示す説明図である。
【図３１】図２９に示した磁石の吸着前の状態を示す説明図である。
【符号の説明】
【０１３３】
１１  装身具本体
１２  チューブ
１３  磁石（一端側）
１４  磁石（他端側）
１５  磁石（中間部）
１６  一端側キャップ
１７  他端側キャップ
１８  チューブの一端側開口部
１９  チューブの他端側開口部
２０  キャップ本体部
２１  挿入部
２２  キャップ本体部
２３  挿入部
２４  装身具（全体）
２５  外皮（メッシュ部材）
２６  一端側外キャップ
２７  他端側外キャップ
２８  隙間
２９  外皮の一端開口部
３０  外皮の他端開口部
３１  一端側外キャップの開口部
３２  他端側外キャップの開口部
３３  装着者
３４  首
３５  肩
３６  装身具の一端側
３７  装身具の他端側
４１  止め具
４２  中央部
４３  一端部
４４  他端部
４５  一方の空間（通し部）
４６  他方の空間（通し部）
５１  止め具
５２  枠体
５３  一端側枠部
５４  他端側枠部
５５  一方の空間（通し部）
５６  他方の空間（通し部）
６１    装身具本体
６２  チューブ
６３  磁石
６５  スペーサ
６６  一端側キャップ
６７  他端側キャップ
６８  チューブの一端側開口部
６９  チューブの他端側開口部
７０  一端側キャップ本体部
７１  一端側キャップの挿入部
７２  他端側キャップ本体部
７３  他端側キャップの挿入部
８１  装身具本体
８２  チューブ
８３  磁石
８５  スペーサ
８６  一端側キャップ
８７  他端側キャップ
８８  チューブの一端側開口部
８９  チューブの他端側開口部
９０  一端側キャップ本体部
９１  一端側キャップの挿入部
９２  他端側キャップ本体部
９３  他端側キャップの挿入部
１０１  装身具本体
１０２  チューブ
１０３  磁石
１０５  スペーサ
１０６  一端側キャップ
１０７  他端側キャップ
１０８  チューブの一端側開口部
１０９  チューブの他端側開口部
１１０  一端側キャップ本体部
１１１  一端側キャップの挿入部
１１２  他端側キャップ本体部
１１３  他端側キャップの挿入部
１２１  装身具本体
１２２  チューブ
１２３  磁石
１２５  スペーサ
１２６  一端側キャップ
１２７  他端側キャップ
１２８  チューブの一端
１２９  チューブの他端
１５４  磁石
１５４ａ〜１５４ｈ  磁石
１５５  チューブ
１５６  チューブ
１５７  チューブ
１５８  チューブ